(57)【要約】【課題】ニュートリノの実際値は理論値の１／３です。これはどうしてか。１Ｋの場は、電子のラブの軌道がどれ位なのか。電子のラブが公転して作る温度はどれ位までなのか。【解決手段】本発明者は、中性子は、電子のラブの軌道が小さくなり、陽子のラブの軌道と接近する事によって、引力が大きくなり、電子のラブは陽子のラブの軌道に移行する事によってできると考え、ニュートリノの実際値を本発明者の考として計算する。電子のラブの軌道＝１０−１０ｍ÷温度１／２（但し、この温度は電子のラブの回転によってできる温度です。）によって求められる。電子のラブの秒速の式はどのようであるか。電子のラブが１秒間に作る電気の光子のエネルギーは、８×１０−１４Ｊです。電子のラブの１秒間の公転数の式を求め、電子のラブの秒速の式を求める。【選択図】図１
2006345698.tif 000002
【特許請求の範囲】
【請求項１】
ニュートリノの実際値は理論値の１／３です。この理由の解明。
（太陽のニュートリノの測定がアメリカのサウス・ダユタ州にある廃坑の地下１５００ｍに直径６ｍ長さ１５ｍの四塩化炭素を満たしたタンクを置いて試みられている。四塩化炭素の塩素がわずかではあるが、ニュートリノを吸収してアルゴンに変わる。そのアルゴンを回収してニュートリノの量を測定するのである。実験開始から１０数年になるが実測値は予想値の３分の１にしかならない。これは、太陽内部の構造に対して間違ったモデルを採用しているためなのかもしれない。）と、日本大百科全書に記されている。
従来、太陽内部の構造は、４個の陽子から１個のヘリュウムが作られる。この時、多量のエネルギーが発生し、γ線が放射され、２個のニュートリノが放出される、と考えられています。
従来、ニュートリノは陽子から放出されるように考えられています。
本発明者は、ニュートリノは電子のラブから放出されると考えます。４個の電子のラブが４個の陽子と一緒になり、４個の中性子に成ります。その時、電子のラブは陽子のラブの軌道に移行するので、電子のラブの軌道であった電気の光子の軌道が放出します。放出する電気の光子の軌道がニュートリノです。４個のニュートリノが放出します。
ニュートリノは２．５８×１０−１４ｍの電気の光子です。
電子のラブでできるニュートリノのエネルギーを実際のニュートリノのエネルギーとします。
陽子のラブでできるニュートリノのエネルギーを理論値のニュートリノのエネルギーとします。
実際のニュートリノのエネルギー＝理論値のニュートリノエネルギー×１／３
電子のラブでできるニュートリノのエネルギー＝陽子のラブでできるニュートリノのエネルギー×１／３
４×１つの電子のラブでできるニュートリノのエネルギー＝２×１つの陽子のラブでできるニュートリノのエネルギー×１／３
１つの電子のラブでできるニュートリノのエネルギー＝２×１／３÷４×１つの陽子のラブでできるニュートリノのエネルギー＝１／６×１つの陽子のラブでできるニュートリノのエネルギー
この事は、電子のラブでできる電気の光子の軌道は、陽子のラブでできる電気の光子の軌道の６倍です。電子のラブの軌道は、陽子のラブの軌道の６倍です。
陽子のラブの軌道をＡｍとしますと、電子のラブの軌道は６Ａｍです。
ニュウトリノは電気の光子が何個か束になっていますから、その束をＢ個とします。
陽子のラブでできる電気の光子の束と電子のラブでできる電気の光子の束の数を同じに考えます。
１つの電子のラブでできるニュートリノのエネルギー＝（１０−３９Ｊｍ÷６Ａｍ）×Ｂ
１つの陽子のラブでできるニュートリノのエネルギー＝（１０−３９Ｊｍ÷Ａｍ）×Ｂ
よって、
２個の陽子のラブでできるニュートリノのエネルギーは、４個の電子のラブでできるニュートリノのエネルギーの何倍か。
２×（１０−３９Ｊｍ÷Ａ）×Ｂ÷｛４×（１０−３９Ｊｍ÷６Ａ）×Ｂ｝＝３倍です。
よって、理論値は実際値の３倍です。
実際値は理論値の１／３です。
中性子ができる電子のラブの軌道は、２．５８×１０−１４ｍですから、中性子ができる陽子のラブの軌道は、２．５８×１０−１４ｍ÷６＝４．３×１０−１５ｍです。
それでは確かめ算です。
陽子のラブの軌道にできる電気の光子のエネルギー（これが放出してニュートリノになる）は、
１０−３９Ｊｍ÷（４．３×１０−１５ｍ）＝２．３２６×１０−２５Ｊです。
これが２個で、２×２．３２６×１０−２５Ｊ＝４．６２５×１０−２５Ｊです。
電子のラブの軌道にできる電気の光子のエネルギー（これが放出してニュートリノになる）は、
１０−３９Ｊｍ÷（２．５８×１０−１４ｍ）＝３．８７６×１０−２６Ｊです。
これが４個で、４×３．８７６×１０−２６Ｊ＝１．５５０４×１０−２５Ｊです。
陽子のラブでできる電気の光子のエネルギーは、電子のラブでできる電気の光子のエネルギーの何倍か。
４．６２５×１０−２５Ｊ÷（１．５５０４×１０−２５Ｊ）＝３倍です。
陽子のラブでできるニュートリノは、電子のラブでできるニュートリノの３倍です。
理論値は実際値の３倍です。実際値は理論値の１／３です。
【請求項２】
１Ｋ＝１．３８×１０−２３Ｊは何を意味しているのか。
本発明者は次のように考えています。
（ラブの軌道エネルギーは、電子のラブの軌道×電子のラブのエネルギー＝１．２５×１０−１０ｍ×８×１０−１４Ｊ＝１０−２３Ｊｍです。
電子のラブの公転軌道は、１．２５×１０−１０ｍで、１公転でできる電気の光子のエネルギーは、８×１０−３０Ｊで、１秒間に１０１６回公転するから、１秒間にできる磁気の光子のエネルギーは、８×１０−３０Ｊ×１０１６回＝８×１０−１４Ｊです。
電気の光子の軌道エネルギーは、電気の光子の軌道×電気の光子のエネルギー＝１．２５×１０−１０ｍ×８×１０−３０Ｊ＝１０−３９Ｊｍです。
電子のラブの自転軌道は、１．２５×１０−１８ｍで、１自転でできるエネルギーは、８×１０−３８Ｊで、１秒間に１０２４回自転するから、１秒間にできるエネルギーは、８×１０−３８Ｊ×１０２４回＝８×１０−１４Ｊです。
磁気の光子の軌道エネルギーは、電気の光子の軌道×電気の光子のエネルギー＝１．２５×１０−１８ｍ×８×１０−３８Ｊ＝１０−５５Ｊｍです。）
このことを基に次の事について考えます。
１Ｋ＝１．３８×１０−２３Ｊは、電子のラブが１秒間公転して作る電気の光子のエネルギーの、
１．３８×１０−２３Ｊ÷（８×１０−１４Ｊ）＝１．７２５×１０−１０倍です。
１÷（１．７２５×１０−１０）＝５．８×１０９      ５．８×１０９分の１です。
【請求項３】
１Ｋ／ｃ２＝１．５３６×１０−４０Ｋｇは何を意味するのか。
１．５３６×１０−４０Ｋｇ×ｃ２＝１Ｋ＝１．３８×１０−２３Ｊ
１電子のラブのエネルギーは、８×１０−１４Ｊです。１電子のラブの静止質量は、９．１０９５×１０−３１Ｋｇです。９．１０９５×１０−３１Ｋｇで、８×１０−１４Ｊですから、１．３８×１０−２３Ｊのエネルギーは何Ｋｇであるかを示しています。
温度は電気の光子のエネルギーです。
１Ｋの温度は何Ｋｇの電気の光子であるかを示しています。１Ｋ＝１．３８×１０−３２ＪをｘＫｇとします。
９．１０９５×１０−３１Ｋｇ：８×１０−１４Ｊ＝ｘ：１．３８×１０−２３Ｊ      ｘ＝１．５７×１０−４０Ｋｇ
１．３８×１０−２３Ｊのエネルギーは１．５７×１０−４０Ｋｇの電気の光子です。
この事は、電気の光子にも質量がある事を意味しています。
【請求項４】
１Ｋは電子のラブが何回公転してできる電気の光子のエネルギーか。１℃は電子のラブが何回公転してできる電気の光子のエネルギーか。１原子でできる引力は電子のラブが何回自転してできる磁気の光子のエネルギーか。
○電子のラブの公転軌道が１．２５×１０−１０ｍの場合。
・１Ｋ＝１．３８×１０−２３Ｊは電子のラブが何公転でできる電気の光子のエネルギーか。
１公転でできる電気の光子のエネルギーは８×１０−３０Ｊですから、
１Ｋは、電子のラブが、
１．３８×１０−２３Ｊ÷（８×１０−３０Ｊ）＝１．７２５×１０６回の公転でできる。
・１℃＝１．３８×１０−２３Ｊ×２７４＝３．７８１２×１０−２１Ｊは電子のラブが何公転でできる電気の光子のエネルギーか。
１℃は、電子のラブが、
３．７８１２×１０−２１Ｊ÷（８×１０−３０Ｊ）＝４．７２６５×１０８の公転でできる。
・１原子でできる引力は、電子のラブが何回自転してできる磁気の光子のエネルギーか。
１Ｋｇでできる引力は、（６．６７２×１０−１１Ｎ・ｍ２／Ｋｇ）１／２＝８．１６３８２３×１０−６Ｊです。
１原子は１．６６０６×１０−２７Ｋｇですから、１Ｋｇは、１÷（１．６６０６×１０−２７Ｋｇ）＝６．０２２×１０２６個の原子です。
１原子が作る磁気の光子のエネルギーは、
８．１６３８２３×１０−６Ｊ÷（６．０２２×１０２６個）＝１．３５６４×１０−３２Ｊです。
それで、電子のラブの公転軌道が１．２５×１０−１０ｍのとき、自転軌道は１．２５×１０−１０−８ｍですから、１自転でできる磁気の光子のエネルギーは、
１０−５５Ｊｍ÷（１．２５×１０−１８ｍ）＝８×１０−３８Ｊです。
１原子で、引力と成る磁気の光子１．３５６４×１０−３２Ｊは、何回の自転でできるか。
１．３５６４×１０−３２Ｊ÷（８×１０−３８Ｊ）＝１．７×１０５回の自転でできる。
○本発明者は、２００６年７月３１日提出した特許願において、地表の電子のラブの軌道を３．６５７×１０−９ｍにした。これは、原子と原子の間隔を０ｍにして計算したからです。
それで、熱になるエネルギーは、１．３８３×１０１０公転でできる電気の光子のエネルギーです。
引力になるエネルギーは４．９６×１０６自転でできる磁気の光子のエネルギーです。
太陽の場合、太陽の深さにおける温度から電子のラブの軌道を知り、電子のラブが３．７８×１０８回公転する事によってできる電気の光子のエネルギーが熱のエネルギーに成る事を理解した。
○今回は、電子のラブの軌道が１．２５×１０−１０ｍのとき、１電子のラブが１．７２５×１０６回公転してできる電気の光子のエネルギーが１Ｋ＝１．３８×１０−２３Ｊに成る事を理解した。
今回は、電子のラブの軌道が１．２５×１０−１０ｍのとき、１電子のラブが４．７２６５×１０８回公転してできる電気の光子のエネルギーが１℃＝３．７８１２×１０−２１Ｊに成る事を理解した。
今回は、電子のラブの軌道が１．２５×１０−１０ｍのとき、１電子のラブが１．７×１０５回自転してできる磁気の光子のエネルギーが、１原子で引力と成る磁気の光子１．３５６４×１０−３２に成る事を理解した。
このように、電子のラブの公転軌道によって、熱となる公転数が異なる。引力になる自転数が異なる。
【請求項５】
電子のラブの公転軌道が１０ａｍの場合、１Ｋは電子のラブが何回公転してでできる電気の光子のエネルギーか。１℃は電子のラブが何回公転してでできる電気の光子のエネルギーか。１原子でできる引力は電子のラブが何回自転してでできる磁気の光子のエネルギーか。
・１Ｋは電子のラブが何回公転してでできる電気の光子のエネルギーか。
電子のラブが１回公転してでできる電気の光子のエネルギーは、
１０−３９Ｊｍ÷１０ａｍ＝１０−３９−ａＪです。
１Ｋは、電子のラブが、
１Ｋ＝１．３８×１０−２３Ｊ÷１０−３９−ａＪ＝１．３８×１０１６＋ａ回公転してできる電気の光子のエネルギーです。
・１℃は電子のラブが何回公転してでできる電気の光子のエネルギーか。
１℃は、電子のラブが、
１℃＝３．７８１２×１０−２１Ｊ÷１０−３９−ａＪ＝３．７８１２×１０１８＋ａ回公転してできる電気の光子のエネルギーです。
・１原子でできる引力は電子のラブが何回自転してでできる磁気の光子のエネルギーか。
電子のラブが１回自転でできる磁気の光子のエネルギーは、１０−５５Ｊｍ÷１０ａ−８ｍ＝１０−４７−ａＪです。
１原子でできる引力となる磁気の光子のエネルギーは、１．３５６４×１０−３２Ｊです。
引力となる磁気の光子のエネルギーは、電子のラブが、
１．３５６４×１０−３２Ｊ÷（１０−４７−ａＪ）＝１．３５６４×１０１５＋ａ回自転してできる磁気の光子のエネルギーです。
○例えば、電子のラブの軌道が、１０−１０ｍの場合。
１Ｋは、電子のラブが、
１Ｋ＝１．３８×１０１６＋ａ回＝１．３８×１０１６−１０回＝１．３８×１０６回公転してできる電気の光子のエネルギーです。
１℃は、電子のラブが、
１℃＝３．７８１２×１０１８＋ａ回＝３．７８１２×１０１８−１０回＝３．７８１２×１０８回公転してできる電気の光子のエネルギーです。
引力となる磁気の光子のエネルギーは、電子のラブが、
１．３５６４×１０１５＋ａ回＝１．３５６４×１０１５−１０回＝１．３５６４×１０５回自転してできる磁気の光子のエネルギーです。
【請求項６】
電気の光子の軌道が１０ｂｍの場合、１Ｋは電気の光子が何回転のエネルギーか。
１℃は電気の光子が何回転のエネルギーか。１原子でできる引力は磁気の光子が何回転のエネルギーか。
電気の光子１回転のエネルギーは、１０−３９Ｊｍ÷１０ｂｍ＝１０−３９−ｂＪです。
１Ｋは、
１Ｋ＝１．３８×１０−２３Ｊ÷１０−３９−ｂＪ＝１．３８×１０１６＋ｂ回転の電気の光子のエネルギーです。
１℃は、
１℃＝３．７８１２×１０−２１Ｊ÷１０−３９−ｂＪ＝３．７８１２×１０１８＋ｂ回転の電気の光子のエネルギーです。
・磁気の光子の軌道が１０ｂ−８ｍの場合、１原子でできる引力は磁気の光子が何回転のエネルギーか。
磁気の光子１回転のエネルギーは、１０−５５Ｊｍ÷１０ｂ−８ｍ＝１０−４７−ｂＪです。
引力となる磁気の光子のエネルギーは、
１．３５６４×１０−３２Ｊ÷（１０−４７−ｂＪ）＝１．３５６４×１０１５＋ｂ回転の磁気の光子のエネルギーです。
○例えば、光子の軌道が分子の周囲の軌道の場合、分子の周囲の軌道を１０−７ｍとします。
電気の光子の１回転のエネルギーは、１０−３９−ｂＪ＝１０−３９＋７Ｊ＝１０−３２Ｊです。
１Ｋは、１．３８×１０１６＋ｂ回転＝１．３８×１０１６−７回転＝１．３８×１０９回転の電気の光子のエネルギーです。
１℃は、３．７８１２×１０１８＋ｂ回転＝３．７８１２×１０１８−７回転＝３．７８１２×１０１１回転の電気の光子のエネルギーです。
磁気の光子の１回転のエネルギーは、１０−４７−ｂＪ＝１０−４７＋７Ｊ＝１０−４０Ｊです。
引力となる磁気の光子のエネルギーは、
１．３５６４×１０−３２Ｊ÷（１０−４０Ｊ）＝１．３５６４×１０１５−７回転＝１．３５６４×１０８回転の磁気の光子のエネルギーです。
【請求項７】
本発明者は２００６年７月３１日提出した特許願の、請求項６で、地表の電子のラブの軌道を３．６７５×１０−９ｍとした。これは、原子と原子の間の距離を０ｍとしたからです。
地表の電子のラブの軌道を１０−１０ｍとした場合、原子と原子の間の距離はどれ位か。
原子と原子の間の距離を０ｍとした場合、電子のラブの軌道を３．６７５×１０−９ｍですから、原子の中央から中央までの距離は、３．６７５×１０−９ｍです。
電子のラブの軌道を１０−１０ｍとした場合、原子と原子の間の距離をｘｍとします。
３．６７５×１０−９ｍ＝ｘｍ＋２×１／２×１０−１０ｍ
ｘｍ＝３．６７５×１０−９ｍ−１０−１０ｍ＝３．５７５×１０−９ｍ
地表の原子の大きさを１０−１０ｍとすると、原子と原子の間は、３．５７５×１０−９ｍあいている。
１０−１０ｍの原子が３５個分あいている。
【請求項８】
地表の電子のラブの軌道を１０−１０ｍとした場合、地表からの深さにおいて、電子のラブの軌道の平均値と原子の個数はどのようであるか。
本発明者は２００６年７月３１日提出した特許願の、請求項６の、
地球の深さにおける、電子のラブの軌道の平均値と原子の数は次のようです。
2006345698.tif 000007
【請求項９】
熱になる電気の光子のエネルギーは、電子のラブが何回公転してできる電気の光子のエネルギーか。
本発明者は２００６年７月３１日提出した特許願いの、請求項６で、地表の電子のラブの軌道を３．６７５×１０−９ｍとした。これは、原子と原子の間の距離を０ｍとしたからです。
電子のラブの軌道を３．６７５×１０−９ｍとした場合、１℃は、電子のラブが１．３８３×１０１０回公転する事によってできる電気の光子のエネルギーです。
しかし、地表の電子のラブの軌道を１０−１０ｍとした場合、１℃は、電子のラブが３．７８１２×１０８回公転する事によってできる電気の光子のエネルギーです。
そして、太陽の場合も、いずれの深さにおいても、電子のラブが公転する事によってできる熱となる電気の光子のエネルギーは、電子のラブが３．７８×１０８回公転する事によってできます。
この事は、電子のラブが公転する事によってできる熱になる電気の光子のエネルギーは、電子のラブが３．７８×１０８回公転する事によってできる電気の光子のエネルギーである、と理解する事ができます。
【請求項１０】
地球の中の温度は、電子のラブが何回公転する事によってできるエネルギーか。
本発明者は、２００６年７月３１日に提出した、特許願の請求項７において、地表に於ける、電子のラブの公転軌道を、３．６５７×１０−９ｍとして算出した。
今回は、電子のラブの公転軌道を、１０−１０ｍとして算出する。
・地下６５００Ｋｍでは、温度は７３２７℃で、電子のラブの公転軌道は、１．１６８×１０−１２ｍです。
電子のラブ１公転でできる電気の光子のエネルギーは、
１０−３９Ｊｍ÷（１．１６８×１０−１２ｍ）＝８．５６×１０−２８Ｊです。
（７３２７℃）１／２＝８５．６℃
８５．６℃は、電子のラブが何回公転してできる電気の光子のエネルギーか。
８５．６℃×３．７８１２×１０−２１Ｊ÷（８．５６×１０−２８Ｊ）＝３．７８×１０８回転でできる。
・地下６０００Ｋｍでは、温度は６０００℃で、電子のラブの公転軌道は、１．３×１０−１２ｍです。
電子のラブ１公転でできる電気の光子のエネルギーは、
１０−３９Ｊｍ÷（１．３×１０−１２ｍ）＝７．６９２×１０−２８Ｊです。
（６０００℃）１／２＝７７．４６℃
７７．４６℃は、電子のラブが何回公転してできる電気の光子のエネルギーか。
７７．４６℃×３．７８１２×１０−２１Ｊ÷（７．６９２×１０−２８Ｊ）＝３．８０８×１０８回転でできる。
・地下５０００Ｋｍでは、温度は５０００℃で、電子のラブの公転軌道は、１．４×１０−１２ｍです。
電子のラブ１公転でできる電気の光子のエネルギーは、
１０−３９Ｊｍ÷（１．４×１０−１２ｍ）＝７．１４３×１０−２８Ｊです。
（５０００℃）１／２＝７０．７１１℃
７０．７１１℃は、電子のラブが何回公転してできる電気の光子のエネルギーか。
７０．７１１℃×３．７８１２×１０−２１Ｊ÷（７．１４３×１０−２８Ｊ）＝３．７４３×１０８回転でできる。
・地下４０００Ｋｍでは、温度は４０００℃で、電子のラブの公転軌道は、１．５８×１０−１２ｍです。
電子のラブ１公転でできる電気の光子のエネルギーは、
１０−３９Ｊｍ÷（１．５８×１０−１２ｍ）＝６．３２９×１０−２８Ｊです。
（４０００℃）１／２＝６３．２４６℃
６３．２４６℃は、電子のラブが何回公転してできる電気の光子のエネルギーか。
６３．２４６℃×３．７８１２×１０−２１Ｊ÷（６．３２９×１０−２８Ｊ）＝３．７７９×１０８回転でできる。
・地下３０００Ｋｍでは、温度は３０００℃で、電子のラブの公転軌道は、１．８×１０−１２ｍです。
電子のラブ１公転でできる電気の光子のエネルギーは、
１０−３９Ｊｍ÷（１．８×１０−１２ｍ）＝５．５５６×１０−２８Ｊです。
（３０００℃）１／２＝５４．７７２℃
５４．７７２℃は、電子のラブが何回公転してできる電気の光子のエネルギーか。
５４．７７２℃×３．７８１２×１０−２１Ｊ÷（５．５５６×１０−２８Ｊ）＝３．７２８×１０８回転でできる。
・地下２０００Ｋｍでは、温度は２０００℃で、電子のラブの公転軌道は、２．２３×１０−１２ｍです。
電子のラブ１公転でできる電気の光子のエネルギーは、
１０−３９Ｊｍ÷（２．２３×１０−１２ｍ）＝４．４８４×１０−２８Ｊです。
（２０００℃）１／２＝４４．７２１℃
４４．７２１℃は、電子のラブが何回公転してできる電気の光子のエネルギーか。
４４．７２１℃×３．７８１２×１０−２１Ｊ÷（４．４８４×１０−２８Ｊ）＝３．７７１×１０８回転でできる。
・地下１０００Ｋｍでは、温度は１０００℃で、電子のラブの公転軌道は、３．１６×１０−１２ｍです。
電子のラブ１公転でできる電気の光子のエネルギーは、
１０−３９Ｊｍ÷（３．１６×１０−１２ｍ）＝３．１６５×１０−２８Ｊです。
（１０００℃）１／２＝３１．６２３℃
３１．６２３℃は、電子のラブが何回公転してできる電気の光子のエネルギーか。
３１．６２３℃×３．７８１２×１０−２１Ｊ÷（３．１６５×１０−２８Ｊ）＝３．７７８×１０８回転でできる。
この平均は、（３．７８×１０８回＋３．８０８×１０８回＋３．７４３×１０８回＋３．７７９×１０８回＋３．７２８×１０８回＋３．７７１×１０８回＋３．７７８×１０８回）÷７＝３．７７×１０８回です。
この事によって、地球の中の熱は、電子のラブが３．７７×１０８回公転する事によってできる熱である事が理解できた。これは、太陽の熱と同じです。
電子のラブが公転する事によって、３．７７×１０８回公転してできる電気の光子のエネルギーが熱エネルギーになる。
【請求項１１】
地表の場合、電子のラブの軌道によって、１Ｋを作る電子のラブの回転数が異なる。しかし、地球の中や太陽の中では、その場の温度を作る電子のラブの回転数は同じです。
これはどうしてか。
電子のラブの軌道＝１０−１０ｍ÷温度１／２
電子のラブ１公転でできる電気の光子のエネルギーは、
１０−３９Ｊｍ÷（１０−１０ｍ÷温度１／２）＝１０−２９Ｊ×温度１／２です。
それで、温度１／２のエネルギーを作るためには何公転でできるか。
温度１／２のエネルギーは、温度の単位は℃ですから、１℃＝３．７８１２×１０−２１Ｊです。
温度１／２×３．７８１２×１０−２１Ｊ÷（１０−２９Ｊ×温度１／２）＝３．７８１２×１０８公転でできる。
よって、地球や太陽のどの深さにおいても、電子のラブの公転によってできる熱エネルギーは、電子のラブが３．７８１２×１０８回公転してできる電気の光子のエネルギーです。
【請求項１２】
地球の中や太陽の中では、１原子で引力と成る磁気の光子のエネルギーは、電子のラブが何回自転してできるか。
電子のラブの軌道＝１０−１０ｍ÷温度１／２
電子のラブの自転軌道＝１０−１０ｍ÷温度１／２×１０−８＝１０−１８ｍ÷温度１／２
電子のラブ１自転でできる磁気の光子のエネルギーは、
１０−５５Ｊｍ÷（１０−１８ｍ÷温度１／２）＝１０−３７Ｊ×温度１／２です。
それで、引力のエネルギーを作るためには何公転でできるか。
その場の磁気の光子のエネルギーは、その場の電気の光子のエネルギーに比例する。
その場の引力は、その場の温度に比例する。
その場の１原子でできる引力は、その場の温度１／２に比例するから、
その場の１原子でできる引力のエネルギーは、温度１／２×１．３５６４×１０−３２Ｊです。
この引力のエネルギーは、電子のラブが何回自転してできるエネルギーか。
温度１／２×１．３５６４×１０−３２Ｊ÷（１０−３７Ｊ×温度１／２）＝１．３５６４×１０５回自転してできる。
よって、地球や太陽のどの深さにおいても、１原子でできる引力は、電子のラブが１．３５６４×１０５回自転してできる磁気の光子のエネルギーです。
【請求項１３】
電子のラブが公転してできる熱エネルギーは、電子のラブが自転してできる引力と成る磁気の光子のエネルギーの何倍か。
地球や太陽のどの深さにおいても、電子のラブの公転によってできる熱エネルギーは、電子のラブが３．７８１２×１０８回公転してできる電気の光子のエネルギーです。
地球や太陽のどの深さにおいても、１原子でできる引力は、電子のラブが１．３５６４×１０５回自転してできる磁気の光子のエネルギーです。
電子のラブが１公転してできるエネルギーは、電子のラブが１自転してできるエネルギーの１０８倍ですから、
３．７８１２×１０８回公転してできる電気の光子のエネルギー＝３．７８１２×１０８回×１０８×１自転してできる磁気の光子のエネルギー
それで、電子のラブの公転によってできる熱エネルギーは１原子でできる引力のエネルギーの、
電子のラブの公転によってできる熱エネルギー÷１原子でできる引力のエネルギー＝３．７８１２×１０８回公転してできる電気の光子のエネルギー÷電子のラブが１．３５６４×１０５回自転してできる磁気の光子のエネルギー＝３．７８１２×１０８回×１０８×１自転してできる磁気の光子のエネルギー÷（電子のラブが１．３５６４×１０５回自転してできる磁気の光子のエネルギー）＝３．７８１２×１０８回×１０８÷（１．３５６４×１０５回）＝２．７８８×１０１１倍です。
【請求項１４】
電子のラブの１秒間の公転数の式について。
電子のラブが１秒間に作る電気の光子のエネルギーは、８×１０−１４Ｊです。
電子のラブの１秒間の公転数は、１秒間に作る電気の光子のエネルギー÷１公転でできる電気の光子のエネルギー＝８×１０−１４Ｊ÷（１０−３９Ｊｍ÷電子のラブの軌道）＝８×１０２５×電子のラブの軌道、です。
【請求項１５】
電子のラブの秒速の式について。
電子のラブの秒速は、３．１４×電子のラブの軌道×１秒間の公転数＝３．１４×電子のラブの軌道×８×１０−１４Ｊ÷（１０−３９Ｊｍ÷電子のラブの軌道）＝２．５１２×１０２６ｍ×電子のラブの軌道２、です。
【請求項１６】
電子のラブが公転して熱となる電気の光子のエネルギーの式について。
温度の式について。
電子のラブが公転して熱となる電気の光子のエネルギーは、電子のラブが１公転してできる電気の光子のエネルギー×３．７８１２×１０８回転＝１０−３９Ｊｍ÷電子のラブの軌道×３．７８１２×１０８回転、です。
温度（℃）＝｛電子のラブが公転して熱となる電気の光子のエネルギー÷（３．７８１２×１０−２１Ｊ）｝２＝｛１０−３９Ｊｍ÷電子のラブの軌道×３．７８１２×１０８回転÷（３．７８１２×１０−２１Ｊ）｝２＝（１０−１０ｍ÷電子のラブの軌道）２、です。
温度（℃）＝｛電子のラブが公転して熱となる電気の光子のエネルギー（℃）｝２
電子のラブが公転して熱となる電気の光子のエネルギー（℃）＝１０−１０ｍ÷電子のラブの軌道
電子のラブが公転して熱となる電気の光子のエネルギー（Ｊ）＝１０−１０ｍ÷電子のラブの軌道×３．７８１２×１０−２１Ｊ
【請求項１７】
地上で、１原子で引力と成る磁気の光子のエネルギーの式について。１原子でできる引力は、電子のラブが何回自転してできる磁気の光子か。１原子で引力と成る磁気の光子のエネルギーは、電子のラブが１秒間自転してできる磁気の光子のエネルギーの何分の１か。
○地上の場合、１原子でできる引力は、１．３５６４×１０−３２Ｊの磁気の光子です。
・この引力は、電子のラブが何回自転してできる磁気の光子か。
電子のラブが１回自転してできる磁気の光子のエネルギーは、１０−５５Ｊｍ÷電子のラブの自転軌道、です。
１原子でできる引力は、電子のラブが、
１．３５６４×１０−３２Ｊ÷（１０−５５Ｊｍ÷電子のラブの自転軌道）＝１．３５６４×１０２３×電子のラブの自転軌道、回自転してできる磁気の光子です。
○例えば、地上では、電子のラブの自転軌道は、１０−１０−８ｍ＝１０−１８ｍですから、
１．３５６４×１０２３×電子のラブの自転軌道＝１．３５６４×１０２３×１０−１８＝１．３５６４×１０５回自転してできる磁気の光子です。
・１原子で引力と成る磁気の光子のエネルギーは、電子のラブが１秒間自転してできる磁気の光子のエネルギーの何分の１か。
電子のラブが１秒間自転してできる磁気の光子のエネルギーは８×１０−１４Ｊですから、
１．３５６４×１０−３２Ｊ÷（８×１０−１４Ｊ）＝１．６９５５×１０−１９  倍。
１÷（１．６９５５×１０−１９）＝５．８９８×１０１８分の１です。
又は次のようにも考えられる。
電子のラブの１秒間の公転数は、８×１０２５×電子のラブの軌道、です。
電子のラブの軌道＝電子のラブ自転軌道×１０８です。
電子のラブの１秒間の自転数は、電子のラブの１秒間の公転数の１０８倍です。
それで、電子のラブの１秒間の自転数＝電子のラブの１秒間の公転数×１０８倍＝８×１０２５×電子のラブの軌道×１０８倍＝８×１０２５×電子のラブ自転軌道×１０８×１０８＝８×１０４１×電子のラブの自転軌道
１原子でできる引力は、１．３５６４×１０２３×電子のラブの自転軌道、回自転してできる磁気の光子です。
それで、引力と成る磁気の光子のエネルギーは、電子のラブが１秒間自転してできる磁気の光子のエネルギーの、
引力と成る自転数÷１秒間の自転数＝１．３５６４×１０２３×電子のラブの自転軌道÷（８×１０４１×電子のラブの自転軌道）＝１．６９５５×１０−１９倍です。
１÷（１．６９５５×１０−１９）＝５．８９８×１０１８分の１です。
【請求項１８】
１℃の場合。この場の電子のラブの軌道と、電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
・この場の電子のラブの軌道は、１０−１０ｍです。
・電子のラブが１公転でできる電気の光子のエネルギーは、
１０−３９Ｊｍ÷１０−１０ｍ＝１０−２９Ｊです。
・この場の電子のラブの公転によってできる熱エネルギーは、１０−２９Ｊ×３．７８１２×１０８回転＝３．７８１２×１０−２１Ｊです。
これは、１℃です。
・この場の温度は、１℃です。
・この場の１原子で引力になる磁気の光子のエネルギーは、
電子のラブが１自転でできる磁気の光子のエネルギーは、
１０−５５Ｊｍ÷１０−１０−８ｍ＝１０−３７Ｊです。
引力と成る、電子のラブの自転数は、
１．３５６４×１０２３×電子のラブの自転軌道＝１．３５６４×１０２３×１０−１８＝１．３５６４×１０５回です。
１原子で引力と成る磁気の光子のエネルギーは、
１０−３７Ｊ×１．３５６４×１０５回＝１．３５６４×１０−３２Ｊです。
・この場の電子のラブの１秒間の公転数は、
８×１０−１４Ｊ÷（１０−３９Ｊｍ÷１０−１０ｍ）＝８×１０１５回です。
・この場の電子のラブの秒速は、
３．１４×１０−１０ｍ×８×１０１５回＝２．５１２×１０６ｍです。
【請求項１９】
地球の中央の場合。深さ６５００Ｋｍで、温度は７３２７℃で、電子のラブの軌道は１．１６８×１０−１２ｍです。この場の電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
・この場の電子のラブが１公転でできる電気の光子のエネルギーは、
１０−３９Ｊｍ÷（１．１６８×１０−１２ｍ）＝８．５６２×１０−２８Ｊです。
・この場の電子のラブの公転によってできる熱エネルギーは、
８．５６２×１０−２８Ｊ×３．７８１２×１０８回転＝３．２３７×１０−１９Ｊです。
・温度は、
温度１／２（℃）＝３．２３７×１０−１９Ｊ÷（３．７８１２×１０−２１Ｊ）＝８．５６２×１０
温度＝（８．５６２×１０）２＝７３３１（℃）です。
・この場の１原子で引力になる磁気の光子のエネルギーは、
電子のラブが１自転でできる磁気の光子のエネルギーは、
１０−５５Ｊｍ÷（１．１６８×１０−１２−８ｍ）＝８．５６２×１０−３６Ｊです。
１原子で引力と成る磁気の光子のエネルギーは、
８．５６２×１０−３６Ｊ×１．３５６４×１０５回＝１．１６１３×１０−３０Ｊです。
・この場の電子のラブの１秒間の公転数は、
８×１０−１４Ｊ÷｛１０−３９Ｊｍ÷（１．１６８×１０−１２ｍ）｝＝９．３４４×１０１３回です。
・この場の電子のラブの秒速は、
３．１４×１．１６８×１０−１２ｍ×９３４４×１０１３回＝３．４２７×１０２ｍです。
【請求項２０】
太陽の中央の場合。深さは７×１０５Ｋｍで、温度は１５×１０６Ｋで、電子のラブの軌道は２．５８２×１０−１４ｍです。この場の電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
・この場の電子のラブが１公転でできる電気の光子のエネルギーは、
１０−３９Ｊｍ÷（２．５８２×１０−１４ｍ）＝３．８７３×１０−２６Ｊです。
・この場の電子のラブの公転によってできる熱エネルギーは、
３．８７３×１０−２６Ｊ×３．７８１２×１０８回転＝１．４６４×１０−１７Ｊです。
・温度は、
温度１／２（℃）＝１．４６４×１０−１７Ｊ÷（３．７８１２×１０−２１Ｊ）＝３．８７２×１０３
温度＝（３．８７２×１０３）２＝１５×１０３（℃）です。
・この場の１原子で引力になる磁気の光子のエネルギーは、
電子のラブが１自転でできる磁気の光子のエネルギーは、
１０−５５Ｊｍ÷（２．５８２×１０−１４−８ｍ）＝３．８７３×１０−３４Ｊです。
１原子で引力と成る磁気の光子のエネルギーは、
３．８７３×１０−３４Ｊ×１．３５６４×１０５回＝５．２５３×１０−２９Ｊです。
・この場の電子のラブの１秒間の公転数は、
８×１０−１４Ｊ÷｛１０−３９Ｊｍ÷（２．５８２×１０−１４ｍ）｝＝２．０６５６×１０１２回です。
・この場の電子のラブの秒速は、
３．１４×２．５８２×１０−１４ｍ×２．０６５６×１０１２回＝１．６７５×１０−１ｍです。
電子のラブの秒速は非常に遅いです。
この電子のラブの速度の遅さも、陽子のラブと結合し易くしている。
電子のラブの速度の遅さは、中性子ができる要因に成っている。
【請求項２１】
中性子ができる場の場合。この場の陽子のラブの軌道と、陽子のラブの秒速と、陽子のラブの１秒間の回転数はいくらか。
・この場の陽子のラブの軌道はいくらか。
ニュートリノの測定値により、陽子のラブの軌道をＡｍとすると、電子のラブの軌道は６Ａｍであることが理解できた。
この場において、電子のラブの軌道は２６５８２×１０−１４ｍですから、
陽子のラブの軌道は、２．５８２×１０−１４ｍ÷６＝４．３０３×１０−１５ｍです。
陽子のラブの軌道と電子のラブの軌道は非常に近いので、引力が大きく引き合う。それで、電子のラブは質量の大きな陽子のラブに引かれて、陽子のラブの軌道に移行する。
・この場の陽子のラブの秒速はいくらか。
陽子の秒速は、２．５１２×１０２６ｍ×電子のラブの軌道２ですから、
２．５１２×１０２６ｍ×陽子のラブの軌道２＝２．５１２×１０２６ｍ×（４．３０３×１０−１５ｍ）２＝４．６５１×１０−３ｍです。
陽子のラブの秒速は４．６５１×１０−３ｍです。
電子のラブの秒速は１．６７５×１０−１ｍです。
それで、どちらも非常にゆっくり走るので、結合し、中性子になる。
・この場の陽子のラブの回転数はいくらか。
陽子のラブの１秒間の公転数は、８×１０２５×電子のラブの軌道ですから、
８×１０２５×陽子のラブの軌道＝８×１０２５×４．３０３×１０−１５ｍ＝３．４４２４×１０１１回転です。
陽子のラブの１秒間の公転数は、３．４４２４×１０１１回転です。
電子のラブの１秒間の公転数は、２．０６５６×１０１２回です。
２．０６５６×１０１２回÷（３．４４２４×１０１１回転）＝６倍
陽子のラブと電子のラブの回転数もほぼ同じです。
それで、電子のラブと陽子のラブは結合し、中性子になる。
【請求項２２】
絶対０度の場の場合。この場の電子のラブの軌道と、１公転でできる電気の光子のエネルギーと、この場の電子のラブの公転によってできる熱と温度と、この場の１原子で引力になる磁気の光子のエネルギーと、この場の電子のラブの１秒間の公転数と、この場の電子のラブの秒速はいくらか。
０Ｋ＝１℃÷２７５＝０．００３６３６３℃です。
・この場の電子のラブの軌道は、１０−１０ｍ÷（３６．３６３×１０−４）１／２＝１．６５８×１０−９ｍです。
・１公転でできる電気の光子のエネルギーは、１０−３９Ｊｍ÷（１．６５８×１０−９ｍ）＝６．０３１×１０−３１Ｊです。
・この場の電子のラブの公転によってできる熱エネルギーは、６．０３１×１０−３１Ｊ×３．７８１２×１０８回＝２．２８×１０−２２Ｊです。
この場の温度は、
温度１／２℃＝２．２８×１０−２２Ｊ÷（３．７８１２×１０−２１Ｊ）＝６．０３１×１０−２
温度＝（６．０３１×１０−２）２＝３．６３７３×１０−３（℃）
３．６３７３×１０−３℃です。
・この場の１原子で引力になる磁気の光子のエネルギーは、
電子のラブが１自転してできる磁気の光子のエネルギーは、
１０−５５Ｊｍ÷（１．６５８×１０−９−８ｍ）＝６．０３１×１０−３９Ｊです。
引力と成る磁気の光子は、電子のラブが、１．３５６４×１０５回自転してできる磁気の光子ですから、
６．０３１×１０−３９Ｊ×１．３５６４×１０５回＝８．１８×１０−３４Ｊです。
・この場の電子のラブの１秒間の公転数は、
８×１０−１４Ｊ÷｛１０−３９Ｊｍ÷（１．６５８×１０−９ｍ）｝＝１．３２６４×１０１７回です。
・この場の電子のラブの秒速は、
３．１４×１．６５８×１０−９ｍ×１．３２６４×１０１７回＝６．９×１０８ｍです。
【請求項２３】
真空には何も存在せず、その温度は絶対０度＝０Ｋであることの証明。
絶対０度である０Ｋは、０．００３６３６３℃です。
・この場の電子のラブの軌道は、１．６５８×１０−９ｍです。
・この電子のラブの秒速は、６．９×１０８ｍ＝であり、光速以上です。
それで、この軌道では、電子のラブは回転できず、まっすぐ走るようになる。
電子のラブが回転できなければ、そこに原子は存在しません。
従って、ものが無い状態＝真空の状態です。
【請求項２４】
電子のラブの秒速が３×１０８ｍ以下となる、電子のラブの軌道はいくらか。
電子のラブの秒速は、２．５１２×１０２６ｍ×電子のラブの軌道２で、
電子のラブの秒速が３×１０８ｍ以下ですから、
２．５１２×１０２６ｍ×電子のラブの軌道２＜３×１０８ｍ
電子のラブの軌道２＜３×１０８ｍ÷（２．５１２×１０２６ｍ）
電子のラブの軌道２＜１．１９４３×１０−１８
電子のラブの軌道＜１．０９２８×１０−９（ｍ）
電子のラブの軌道が１．０９２８×１０−９ｍより大きいと電子のラブの秒速は光速３×１０８ｍより大きくなる。
よって、電子のラブの軌道が１．０９２８×１０−９ｍより大きい原子は存在しない。
【請求項２５】
電子のラブの軌道が１．０９２８×１０−９ｍである場の温度はいくらか。
温度＝（１０−１０ｍ÷電子のラブの軌道）２＝｛１０−１０ｍ÷（１．０９２８×１０−９ｍ）｝２＝（９．１５１×１０−２）２＝０．００８３７４（℃）
このエネルギーは、０．００８３７４（℃）×３．７８１２×１０−２１Ｊ＝３．１６６４×１０−２３Ｊです。
これは何Ｋか。
３．１６６４×１０−２３Ｊ÷（１．３８×１０−２３Ｊ）＝２．２９Ｋです。
約３Ｋの場は真空です。
【請求項２６】
２００６年７月３１日に提出した特許願について。
本発明者は、２００６年７月３１日に提出した特許願において、原子と原子の間隔を０ｍとし、電子のラブの軌道を３６．５７倍とし、エネルギーを３６．５７分の１としたので、１原子当たり、引力となる自転数は、４．９６×１０６回転である、と計算した。
今回は、地上の電子のラブの軌道を１０−１０ｍとし、地球の中の電子のラブの軌道を、前回の特許願の３６．５７分の１にした。
それで、電気の光子のエネルギーは３６．５７倍と成り、磁気の光子のエネルギーも３６．５７倍と成る。それで、回転数は３６．５７分の１になる。
電子のラブの公転によって熱となる電気の光子のエネルギーは、１．３８３×１０１０回転÷３６．５７＝３．７８１８×１０８公転となる。
１原子で、引力と成る自転数は３６．５７分の１になるので、４．９６×１０６回転÷３６．５７＝１．３５６３×１０５回転となる。
太陽の中の電子のラブの軌道は、温度から算出したのでそのままで、引力となる磁気の光子は、１原子につき、１．３５６４×１０５自転になる。
以上のことに基づき、２００６年７月３１日に提出した特許願について再度計算し、明細書に記す。
【発明の詳細な説明】
【技術分野】
【０００１】  この発明は、ニュートリノの測定値が理論値の１／３である事に関する。電子の公転によってできる熱エネルギーと電子の自転によってできる引力に関する。電子のラブの秒速の式に関する。電子のラブの１秒間の回転数の式に関する。中間子ができる場の、陽子と電子の軌道と秒速と１秒間の回転数に関する。絶対０度は真空である事に関する。
【背景技術】
【０００２】  従来、ニュートリノの実際値は理論値の１／３です。この理由については解明されていない。電子のラブが公転する事によってできる１℃は、電子のラブが何回公転してできる電気のエネルギーなのか理解されていない。その回転数は、地上では電子のラブの軌道によって異なる事は理解されていない。電子のラブの秒速の式と、電子のラブの１秒間の回転数の式は理解されていない。中間子ができる場の、陽子と電子の軌道と秒速と回転数は理解されていない。絶対０度で真空になる理由は解明されていない。
【発明の開示】
１Ｋの場は、電子のラブの軌道はいくらで、電子のラブが何回公転してできる熱なのか。電子のラブの軌道が大きくなると秒速はどのようになるのか。電子のラブの軌道と秒速の式はどのようであるか。電子のラブの軌道と１秒間の回転数の式はどのようであるか。地上では、電子のラブの軌道によって、１Ｋができる電子のラブの公転数が異なる。しかし、地球の中や太陽の中では電子のラブの公転によってできる熱は同じ公転数でできる。どうしてか。
【発明が解決しようとする課題】
【０００３】１．ニュートリノの実際値は理論値の１／３です。この理由の解明。
２．１Ｋ＝１．３８×１０−２３Ｊは何を意味しているのか。
３．１Ｋ／ｃ２＝１．５３６×１０−４０Ｋｇは何を意味するのか。
４．１Ｋは電子のラブが何回公転してできる電気の光子のエネルギーか。１℃は電子のラブが何回公転してできる電気の光子のエネルギーか。１原子でできる引力は電子のラブが何回自転してできる磁気の光子のエネルギーか。
５．電子のラブの公転軌道が１０ａｍの場合、１Ｋは電子のラブが何回公転してでできる電気の光子のエネルギーか。１℃は電子のラブが何回公転してでできる電気の光子のエネルギーか。１原子でできる引力は電子のラブが何回自転してでできる磁気の光子のエネルギーか。
６．電気の光子の軌道が１０ｂｍの場合、１Ｋは電気の光子が何回転のエネルギーか。
１℃は電気の光子が何回転のエネルギーか。１原子でできる引力は磁気の光子が何回転のエネルギーか。
７．本発明者は２００６年７月３１日提出した特許願の、請求項６で、地表の電子のラブの軌道を３．６７５×１−９ｍとした。これは、原子と原子の間の距離を０ｍとしたからです。
地表の電子のラブの軌道を１０−１０ｍとした場合、原子と原子の間の距離はどれ位か。
８．地表の電子のラブの軌道を１０−１０ｍとした場合、地表からの深さにおいて、電子のラブの軌道の平均値と原子の個数はどのようであるか。
９．熱になる電気の光子のエネルギーは、電子のラブが何回公転してできる電気の光子のエネルギーか。
１０．地球の中の温度は、電子のラブが何回公転する事によってできるエネルギーか。
１１．地表の場合、電子のラブの軌道によって、１Ｋを作る電子のラブの回転数が異なる。しかし、地球の中や太陽の中では、その場の温度を作る電子のラブの回転数は同じです。これはどうしてか。
１２．地球の中や太陽の中では、１原子で引力と成る磁気の光子のエネルギーは、電子のラブが何回自転してできるか。
１３．電子のラブが公転してできる熱エネルギーは、電子のラブが自転してできる引力と成る磁気の光子のエネルギーの何倍か。
１４．電子のラブの１秒間の公転数の式について。
１５．電子のラブの秒速の式について。
１６．電子のラブが公転して熱となる電気の光子のエネルギーの式について。温度の式について。
１７．地上で、１原子で引力と成る磁気の光子のエネルギーの式について。１原子でできる引力は、電子のラブが何回自転してできる磁気の光子か。１原子で引力と成る磁気の光子のエネルギーは、電子のラブが１秒間自転してできる磁気の光子のエネルギーの何分の１か。
１８．１℃の場合。この場の電子のラブの軌道と、電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
１９．地球の中央の場合。深さ６５００Ｋｍで、温度は７３２７℃で、電子のラブの軌道は１．１６８×１０−１２ｍです。この場の電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
２０．太陽の中央の場合。深さは７×１０５Ｋｍで、温度は１５×１０６Ｋで、電子のラブの軌道は２．５８２×１０−１４ｍです。この場の電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
２１．中性子ができる場の場合。この場の陽子のラブの軌道と、陽子のラブの秒速と、陽子のラブの１秒間の回転数はいくらか。
２２．絶対０度の場の場合。この場の電子のラブの軌道と、１公転でできる電気の光子のエネルギーと、この場の電子のラブの公転によってできる熱と温度と、この場の１原子で引力になる磁気の光子のエネルギーと、この場の電子のラブの１秒間の公転数と、この場の電子のラブの秒速はいくらか。
２３．真空には何も存在せず、その温度は絶対０度＝０Ｋであることの証明。
２４．電子のラブの秒速が３×１０８ｍ以下となる、電子のラブの軌道はいくらか。
２５．電子のラブの軌道が１．０９２８×１０−９ｍである場の温度はいくらか。
２６．２００６年７月３１日に提出した特許願について。
【発明を解決するための手段】
【０００４】１．４個の電子のラブでできるニュートリノを実際測定されるニュートリノとします。２個の陽子でできるニュートリノを理論値とします。
２．電子のラブの公転軌道が１０ａｍの場合、１Ｋは電子のラブが何回公転してでできる電気の光子のエネルギーか。１℃は電子のラブが何回公転してでできる電気の光子のエネルギーか。１原子でできる引力は電子のラブが何回自転してでできる磁気の光子のエネルギーかを計算します。
３．地上の電子のラブの公転軌道を１０−１０ｍとした場合、電子のラブによってできる温度は１℃です。これは、電子のラブが３．７８１２×１０８回公転してできる電気の光子のエネルギーです。
引力となる磁気の光子のエネルギーは、電子のラブが、１．３５６４×１０５回自転してできる磁気の光子のエネルギーです。
４．地球の中では、電子のラブが公転してできる熱は何回公転してできる熱かを調べる。
５．太陽の深さにおいても、地球の深さにおいても、電子のラブの公転でできる熱エネルギーは、電子のラブが３．７８１２×１０８回公転してできる電気の光子のエネルギーです。これはどうしてか。温度と電子のラブの軌道から、計算します。
６．太陽の深さにおいても、地球の深さにおいても、１原子でできる引力のエネルギーは、電子のラブが何回自転してできる磁気の光子のエネルギーか。温度と電子のラブの自転軌道から、計算します。
７．電子のラブの１秒間の回転数を求めます。
８．電子のラブの秒速の式を求めます。
９．その場の温度が、電子のラブの公転によってできる場合について、例えば、地上の０℃、地球の中央の温度、太陽の中央の温度、絶対０度、について次の事を調べる。
この場の電子のラブの軌道と、１公転でできる電気の光子のエネルギーと、この場の電子のラブが公転してできる熱エネルギーと温度と、この場の１原子で引力になる磁気の光子のエネルギーと、この場の電子のラブの１秒間の公転数と、この場の電子のラブの秒速を調べる。
【発明の実施態様】
【０００５】１．ニュートリノの実際値は理論値の１／３です。この理由の解明。
（太陽のニュートリノの測定がアメリカのサウス・ダユタ州にある廃坑の地下１５００ｍに直径６ｍ長さ１５ｍの四塩化炭素を満たしたタンクを置いて試みられている。四塩化炭素の塩素がわずかではあるが、ニュートリノを吸収してアルゴンに変わる。そのアルゴンを回収してニュートリノの量を測定するのである。実験開始から１０数年になるが実測値は予想値の３分の１にしかならない。これは、太陽内部の構造に対して間違ったモデルを採用しているためなのかもしれない。）と、日本大百科全書に記されている。
従来、太陽内部の構造は、４個の陽子から１個のヘリュウムが作られる。この時、多量のエネルギーが発生し、γ線が放射され、２個のニュートリノが放出される、と考えられています。
従来、ニュートリノは陽子から放出されるように考えられています。
本発明者は、ニュートリノは電子のラブから放出されると考えます。４個の電子のラブが４個の陽子と一緒になり、４個の中性子に成ります。その時、電子のラブは陽子のラブの軌道に移行するので、電子のラブの軌道であった電気の光子の軌道が放出します。放出する電気の光子の軌道がニュートリノです。４個のニュートリノが放出します。
ニュートリノは２．５８×１０−１４ｍの電気の光子です。
電子のラブでできるニュートリノのエネルギーを実際のニュートリノのエネルギーとします。
陽子のラブでできるニュートリノのエネルギーを理論値のニュートリノのエネルギーとします。
実際のニュートリノのエネルギー＝理論値のニュートリノエネルギー×１／３
電子のラブでできるニュートリノのエネルギー＝陽子のラブでできるニュートリノのエネルギー×１／３
４×１つの電子のラブでできるニュートリノのエネルギー＝２×１つの陽子のラブでできるニュートリノのエネルギー×１／３
１つの電子のラブでできるニュートリノのエネルギー＝２×１／３÷４×１つの陽子のラブでできるニュートリノのエネルギー＝１／６×１つの陽子のラブでできるニュートリノのエネルギー
この事は、電子のラブでできる電気の光子の軌道は、陽子のラブでできる電気の光子の軌道の６倍です。電子のラブの軌道は、陽子のラブの軌道の６倍です。
陽子のラブの軌道をＡｍとしますと、電子のラブの軌道は６Ａｍです。
ニュウトリノは電気の光子が何個か束になっていますから、その束をＢ個とします。
陽子のラブでできる電気の光子の束と電子のラブでできる電気の光子の束の数を同じに考えます。
１つの電子のラブでできるニュートリノのエネルギー＝（１０−３９Ｊｍ÷６Ａｍ）×Ｂ
１つの陽子のラブでできるニュートリノのエネルギー＝（１０−３９Ｊｍ÷Ａｍ）×Ｂ
よって、
２個の陽子のラブでできるニュートリノのエネルギーは、４個の電子のラブでできるニュートリノのエネルギーの何倍か。
２×（１０−３９Ｊｍ÷Ａ）×Ｂ÷｛４×（１０−３９Ｊｍ÷６Ａ）×Ｂ｝＝３倍です。
よって、理論値は実際値の３倍です。
実際値は理論値の１／３です。
中性子ができる電子のラブの軌道は、２．５８×１０−１４ｍですから、中性子ができる陽子のラブの軌道は、２．５８×１０−１４ｍ÷６＝４．３×１０−１５ｍです。
それでは確かめ算です。
陽子のラブの軌道にできる電気の光子のエネルギー（これが放出してニュートリノになる）は、
１０−３９Ｊｍ÷（４．３×１０−１５ｍ）＝２．３２６×１０−２５Ｊです。
これが２個で、２×２．３２６×１０−２５Ｊ＝４．６２５×１０−２５Ｊです。
電子のラブの軌道にできる電気の光子のエネルギー（これが放出してニュートリノになる）は、
１０−３９Ｊｍ÷（２．５８×１０−１４ｍ）＝３．８７６×１０−２６Ｊです。
これが４個で、４×３．８７６×１０−２６Ｊ＝１．５５０４×１０−２５Ｊです。
陽子のラブでできる電気の光子のエネルギーは、電子のラブでできる電気の光子のエネルギーの何倍か。
４．６２５×１０−２５Ｊ÷（１．５５０４×１０−２５Ｊ）＝３倍です。
陽子のラブでできるニュートリノは、電子のラブでできるニュートリノの３倍です。
理論値は実際値の３倍です。実際値は理論値の１／３です。
２．１Ｋ＝１．３８×１０−２３Ｊは何を意味しているのか。
本発明者は次のように考えています。
（ラブの軌道エネルギーは、電子のラブの軌道×電子のラブのエネルギー＝１．２５×１０−１０ｍ×８×１０−１４Ｊ＝１０−２３Ｊｍです。
電子のラブの公転軌道は、１．２５×１０−１０ｍで、１公転でできる電気の光子のエネルギーは、８×１０−３０Ｊで、１秒間に１０１６回公転するから、１秒間にできる磁気の光子のエネルギーは、８×１０−３０Ｊ×１０１６回＝８×１０−１４Ｊです。
電気の光子の軌道エネルギーは、電気の光子の軌道×電気の光子のエネルギー＝１．２５×１０−１０ｍ×８×１０−３０Ｊ＝１０−３９Ｊｍです。
電子のラブの自転軌道は、１．２５×１０−１８ｍで、１自転でできるエネルギーは、８×１０−３８Ｊで、１秒間に１０２４回自転するから、１秒間にできるエネルギーは、８×１０−３８Ｊ×１０２４回＝８×１０−１４Ｊです。
磁気の光子の軌道エネルギーは、電気の光子の軌道×電気の光子のエネルギー＝１．２５×１０−１８ｍ×８×１０−３８Ｊ＝１０−５５Ｊｍです。）
このことを基に次の事について考えます。
１Ｋ＝１．３８×１０−２３Ｊは、電子のラブが１秒間公転して作る電気の光子のエネルギーの、
１．３８×１０−２３Ｊ÷（８×１０−１４Ｊ）＝１．７２５×１０−１０倍です。
１÷（１．７２５×１０−１０）＝５．８×１０９      ５．８×１０９分の１です。
３．１Ｋ／ｃ２＝１．５３６×１０−４０Ｋｇは何を意味するのか。
１．５３６×１０−４０Ｋｇ×ｃ２＝１Ｋ＝１．３８×１０−２３Ｊ
１電子のラブのエネルギーは、８×１０−１４Ｊです。１電子のラブの静止質量は、９．１０９５×１０−３１Ｋｇです。９．１０９５×１０−３１Ｋｇで、８×１０−１４Ｊですから、１．３８×１０−２３Ｊのエネルギーは何Ｋｇであるかを示しています。
温度は電気の光子のエネルギーです。
１Ｋの温度は何Ｋｇの電気の光子であるかを示しています。１Ｋ＝１．３８×１０−３２ＪをｘＫｇとします。
９．１０９５×１０−３１Ｋｇ：８×１０−１４Ｊ＝ｘ：１．３８×１０−２３Ｊ      ｘ＝１．５７×１０−４０Ｋｇ
１．３８×１０−２３Ｊのエネルギーは１．５７×１０−４０Ｋｇの電気の光子です。
この事は、電気の光子にも質量がある事を意味しています。
４．１Ｋは電子のラブが何回公転してできる電気の光子のエネルギーか。１℃は電子のラブが何回公転してできる電気の光子のエネルギーか。１原子でできる引力は電子のラブが何回自転してできる磁気の光子のエネルギーか。
○電子のラブの公転軌道が１．２５×１０−１０ｍの場合。
・１Ｋ＝１．３８×１０−２３Ｊは電子のラブが何公転でできる電気の光子のエネルギーか。
１公転でできる電気の光子のエネルギーは８×１０−３０Ｊですから、
１Ｋは、電子のラブが、
１．３８×１０−２３Ｊ÷（８×１０−３０Ｊ）＝１．７２５×１０６回の公転でできる。
・１℃＝１．３８×１０−２３Ｊ×２７４＝３．７８１２×１０−２１Ｊは電子のラブが何公転でできる電気の光子のエネルギーか。
１℃は、電子のラブが、
３．７８１２×１０−２１Ｊ÷（８×１０−３０Ｊ）＝４．７２６５×１０８回の公転でできる。
・１原子でできる引力は、電子のラブが何回自転してできる磁気の光子のエネルギーか。
１Ｋｇでできる引力は、（６．６７２×１０−１１Ｎ・ｍ２／Ｋｇ）１／２＝８．１６３８２３×１０−６Ｊです。
１原子は１．６６０６×１０−２７Ｋｇですから、１Ｋｇは、１÷（１．６６０６×１０−２７Ｋｇ）＝６．０２２×１０２６個の原子です。
１原子が作る磁気の光子のエネルギーは、
８．１６３８２３×１０−６Ｊ÷（６．０２２×１０２６個）＝１．３５６４×１０−３２Ｊです。
それで、電子のラブの公転軌道が１．２５×１０−１０ｍのとき、自転軌道は１．２５×１０−１０−８ｍですから、１自転でできる磁気の光子のエネルギーは、
１０−５５Ｊｍ÷（１．２５×１０−１８ｍ）＝８×１０−３８Ｊです。
１原子で、引力と成る磁気の光子１．３５６４×１０−３２Ｊは、何回の自転でできるか。
１．３５６４×１０−３２Ｊ÷（８×１０−３８Ｊ）＝１．７×１０５回の自転でできる。
○本発明者は、２００６年７月３１日提出した特許願において、地表の電子のラブの軌道を３．６５７×１０−９ｍにした。これは、原子と原子の間隔を０ｍにして計算したからです。
それで、熱になるエネルギーは、１．３８３×１０１０公転でできる電気の光子のエネルギーです。
引力になるエネルギーは４．９６×１０６自転でできる磁気の光子のエネルギーです。
太陽の場合、太陽の深さにおける温度から電子のラブの軌道を知り、電子のラブが３．７８×１０８回公転する事によってできる電気の光子のエネルギーが熱のエネルギーに成る事を理解した。
○今回は、電子のラブの軌道が１．２５×１０−１０ｍのとき、１電子のラブが１．７２５×１０６回公転してできる電気の光子のエネルギーが１Ｋ＝１．３８×１０−２３Ｊに成る事を理解した。
今回は、電子のラブの軌道が１．２５×１０−１０ｍのとき、１電子のラブが４．７２６５×１０８回公転してできる電気の光子のエネルギーが１℃＝３．７８１２×１０−２１Ｊに成る事を理解した。
今回は、電子のラブの軌道が１．２５×１０−１０ｍのとき、１電子のラブが１．７×１０５回自転してできる磁気の光子のエネルギーが、１原子で引力と成る磁気の光子１．３５６４×１０−３２に成る事を理解した。
このように、電子のラブの公転軌道によって、熱となる公転数が異なる。引力になる自転数が異なる。
５．電子のラブの公転軌道が１０ａｍの場合、１Ｋは電子のラブが何回公転してでできる電気の光子のエネルギーか。１℃は電子のラブが何回公転してでできる電気の光子のエネルギーか。１原子でできる引力は電子のラブが何回自転してでできる磁気の光子のエネルギーか。
・１Ｋは電子のラブが何回公転してでできる電気の光子のエネルギーか。
電子のラブが１回公転してでできる電気の光子のエネルギーは、
１０−３９Ｊｍ÷１０ａｍ＝１０−３９−ａＪです。
１Ｋは、電子のラブが、
１Ｋ＝１．３８×１０−２３Ｊ÷１０−３９−ａＪ＝１．３８×１０１６＋ａ回公転してできる電気の光子のエネルギーです。
・１℃は電子のラブが何回公転してでできる電気の光子のエネルギーか。
１℃は、電子のラブが、
１℃＝３．７８１２×１０−２１Ｊ÷１０−３９−ａＪ＝３．７８１２×１０１８＋ａ回公転してできる電気の光子のエネルギーです。
・１原子でできる引力は電子のラブが何回自転してでできる磁気の光子のエネルギーか。
電子のラブが１回自転でできる磁気の光子のエネルギーは、１０−５５Ｊｍ÷１０ａ−８ｍ＝１０−４７−ａＪです。
１原子でできる引力となる磁気の光子のエネルギーは、１．３５６４×１０−３２Ｊです。
引力となる磁気の光子のエネルギーは、電子のラブが、
１．３５６４×１０−３２Ｊ÷（１０−４７−ａＪ）＝１．３５６４×１０１５＋ａ回自転してできる磁気の光子のエネルギーです。
○例えば、電子のラブの軌道が、１０−１０ｍの場合。
１Ｋは、電子のラブが、
１Ｋ＝１．３８×１０１６＋ａ回＝１．３８×１０１６−１０回＝１．３８×１０６回公転してできる電気の光子のエネルギーです。
１℃は、電子のラブが、
１℃＝３．７８１２×１０１８＋ａ回＝３．７８１２×１０１８−１０回＝３．７８１２×１０８回公転してできる電気の光子のエネルギーです。
引力となる磁気の光子のエネルギーは、電子のラブが、
１．３５６４×１０１５＋ａ回＝１．３５６４×１０１５−１０回＝１．３５６４×１０５回自転してできる磁気の光子のエネルギーです。
６．電気の光子の軌道が１０ｂｍの場合、１Ｋは電気の光子が何回転のエネルギーか。
１℃は電気の光子が何回転のエネルギーか。１原子でできる引力は磁気の光子が何回転のエネルギーか。
電気の光子１回転のエネルギーは、１０−３９Ｊｍ÷１０ｂｍ＝１０−３９−ｂＪです。
１Ｋは、
１Ｋ＝１．３８×１０−２３Ｊ÷１０−３９−ｂＪ＝１．３８×１０１６＋ｂ回転の電気の光子のエネルギーです。
１℃は、
１℃＝３．７８１２×１０−２１Ｊ÷１０−３９−ｂＪ＝３．７８１２×１０１８＋ｂ回転の電気の光子のエネルギーです。
・磁気の光子の軌道が１０ｂ−８ｍの場合、１原子でできる引力は磁気の光子が何回転のエネルギーか。
磁気の光子１回転のエネルギーは、１０−５５Ｊｍ÷１０ｂ−８ｍ＝１０−４７−ｂＪです。
引力となる磁気の光子のエネルギーは、
１．３５６４×１０−３２Ｊ÷（１０−４７−ｂＪ）＝１．３５６４×１０１５＋ｂ回転の磁気の光子のエネルギーです。
○例えば、光子の軌道が分子の周囲の軌道の場合、分子の周囲の軌道を１０−７ｍとします。
電気の光子の１回転のエネルギーは、１０−３９−ｂＪ＝１０−３９＋７Ｊ＝１０−３２Ｊです。
１Ｋは、１．３８×１０１６＋ｂ回転＝１．３８×１０１６−７回転＝１．３８×１０９回転の電気の光子のエネルギーです。
１℃は、３．７８１２×１０１８＋ｂ回転＝３．７８１２×１０１８−７回転＝３．７８１２×１０１１回転の電気の光子のエネルギーです。
磁気の光子の１回転のエネルギーは、１０−４７−ｂＪ＝１０−４７＋７Ｊ＝１０−４０Ｊです。
引力となる磁気の光子のエネルギーは、
１．３５６４×１０−３２Ｊ÷（１０−４０Ｊ）＝１．３５６４×１０１５−７回転＝１．３５６４×１０８回転の磁気の光子のエネルギーです。
７．本発明者は２００６年７月３１日提出した特許願の、請求項６で、地表の電子のラブの軌道を３．６７５×１０−９ｍとした。これは、原子と原子の間の距離を０ｍとしたからです。
地表の電子のラブの軌道を１０−１０ｍとした場合、原子と原子の間の距離はどれ位か。
原子と原子の間の距離を０ｍとした場合、電子のラブの軌道を３．６７５×１０−９ｍですから、原子の中央から中央までの距離は、３．６７５×１０−９ｍです。
電子のラブの軌道を１０−１０ｍとした場合、原子と原子の間の距離をｘｍとします。
３．６７５×１０−９ｍ＝ｘｍ＋２×１／２×１０−１０ｍ
ｘｍ＝３．６７５×１０−９ｍ−１０−１０ｍ＝３．５７５×１０−９ｍ
地表の原子の大きさを１０−１０ｍとすると、原子と原子の間は、３．５７５×１０−９ｍあいている。
１０−１０ｍの原子が３５個分あいている。
８．地表の電子のラブの軌道を１０−１０ｍとした場合、地表からの深さにおいて、電子のラブの軌道の平均値と原子の個数はどのようであるか。
本発明者は２００６年７月３１日提出した特許願の、請求項６の、
地球の深さにおける、電子のラブの軌道の平均値と原子の数は次のようです。
2006345698.tif 000003
９．熱になる電気の光子のエネルギーは、電子のラブが何回公転してできる電気の光子のエネルギーか。
本発明者は２００６年７月３１日提出した特許願いの、請求項６で、地表の電子のラブの軌道を３．６７５×１０−９ｍとした。これは、原子と原子の間の距離を０ｍとしたからです。
電子のラブの軌道を３．６７５×１０−９ｍとした場合、１℃は、電子のラブが１．３８３×１０１０回公転する事によってできる電気の光子のエネルギーです。
しかし、地表の電子のラブの軌道を１０−１０ｍとした場合、１℃は、電子のラブが３．７８１２×１０８回公転する事によってできる電気の光子のエネルギーです。
そして、太陽の場合も、いずれの深さにおいても、電子のラブが公転する事によってできる熱となる電気の光子のエネルギーは、電子のラブが３．７８×１０８回公転する事によってできます。
この事は、電子のラブが公転する事によってできる熱になる電気の光子のエネルギーは、電子のラブが３．７８×１０８回公転する事によってできる電気の光子のエネルギーである、と理解する事ができます。
１０．地球の中の温度は、電子のラブが何回公転する事によってできるエネルギーか。
本発明者は、２００６年７月３１日に提出した、特許願の請求項７において、地表に於ける、電子のラブの公転軌道を、３．６５７×１０−９ｍとして算出した。
今回は、電子のラブの公転軌道を、１０−１０ｍとして算出する。
・地下６５００Ｋｍでは、温度は７３２７℃で、電子のラブの公転軌道は、１．１６８×１０−１２ｍです。
電子のラブ１公転でできる電気の光子のエネルギーは、
１０−３９Ｊｍ÷（１．１６８×１０−１２ｍ）＝８．５６×１０−２８Ｊです。
（７３２７℃）１／２＝８５．６℃
８５．６℃は、電子のラブが何回公転してできる電気の光子のエネルギーか。
８５．６℃×３．７８１２×１０−２１Ｊ÷（８．５６×１０−２８Ｊ）＝３．７８×１０８回転でできる。
・地下６０００Ｋｍでは、温度は６０００℃で、電子のラブの公転軌道は、１．３×１０−１２ｍです。
電子のラブ１公転でできる電気の光子のエネルギーは、
１０−３９Ｊｍ÷（１．３×１０−１２ｍ）＝７．６９２×１０−２８Ｊです。
（６０００℃）１／２＝７７．４６℃
７７．４６℃は、電子のラブが何回公転してできる電気の光子のエネルギーか。
７７．４６℃×３．７８１２×１０−２１Ｊ÷（７．６９２×１０−２８Ｊ）＝３．８０８×１０８回転でできる。
・地下５０００Ｋｍでは、温度は５０００℃で、電子のラブの公転軌道は、１．４×１０−１２ｍです。
電子のラブ１公転でできる電気の光子のエネルギーは、
１０−３９Ｊｍ÷（１．４×１０−１２ｍ）＝７．１４３×１０−２８Ｊです。
（５０００℃）１／２＝７０．７１１℃
７０．７１１℃は、電子のラブが何回公転してできる電気の光子のエネルギーか。
７０．７１１℃×３．７８１２×１０−２１Ｊ÷（７．１４３×１０−２８Ｊ）＝３．７４３×１０８回転でできる。
・地下４０００Ｋｍでは、温度は４０００℃で、電子のラブの公転軌道は、１．５８×１０−１２ｍです。
電子のラブ１公転でできる電気の光子のエネルギーは、
１０−３９Ｊｍ÷（１．５８×１０−１２ｍ）＝６．３２９×１０−２８Ｊです。
（４０００℃）１／２＝６３．２４６℃
６３．２４６℃は、電子のラブが何回公転してできる電気の光子のエネルギーか。
６３．２４６℃×３．７８１２×１０−２１Ｊ÷（６．３２９×１０−２８Ｊ）＝３．７７９×１０８回転でできる。
・地下３０００Ｋｍでは、温度は３０００℃で、電子のラブの公転軌道は、１．８×１０−１２ｍです。
電子のラブ１公転でできる電気の光子のエネルギーは、
１０−３９Ｊｍ÷（１．８×１０−１２ｍ）＝５．５５６×１０−２８Ｊです。
（３０００℃）１／２＝５４．７７２℃
５４．７７２℃は、電子のラブが何回公転してできる電気の光子のエネルギーか。
５４．７７２℃×３．７８１２×１０−２１Ｊ÷（５．５５６×１０−２８Ｊ）＝３．７２８×１０８回転でできる。
・地下２０００Ｋｍでは、温度は２０００℃で、電子のラブの公転軌道は、２．２３×１０−１２ｍです。
電子のラブ１公転でできる電気の光子のエネルギーは、
１０−３９Ｊｍ÷（２．２３×１０−１２ｍ）＝４．４８４×１０−２８Ｊです。
（２０００℃）１／２＝４４．７２１℃
４４．７２１℃は、電子のラブが何回公転してできる電気の光子のエネルギーか。
４４．７２１℃×３．７８１２×１０−２１Ｊ÷（４．４８４×１０−２８Ｊ）＝３．７７１×１０８回転でできる。
・地下１０００Ｋｍでは、温度は１０００℃で、電子のラブの公転軌道は、３．１６×１０−１２ｍです。
電子のラブ１公転でできる電気の光子のエネルギーは、
１０−３９Ｊｍ÷（３．１６×１０−１２ｍ）＝３．１６５×１０−２８Ｊです。
（１０００℃）１／２＝３１．６２３℃
３１．６２３℃は、電子のラブが何回公転してできる電気の光子のエネルギーか。
３１．６２３℃×３．７８１２×１０−２１Ｊ÷（３．１６５×１０−２８Ｊ）＝３．７７８×１０８回転でできる。
この平均は、（３．７８×１０８回＋３．８０８×１０８回＋３．７４３×１０８回＋３．７７９×１０８回＋３．７２８×１０８回＋３．７７１×１０８回＋３．７７８×１０８回）÷７＝３．７７×１０８回です。
この事によって、地球の中の熱は、電子のラブが３．７７×１０８回公転する事によってできる熱である事が理解できた。これは、太陽の熱と同じです。
電子のラブが公転する事によって、３．７７×１０８回公転してできる電気の光子のエネルギーが熱エネルギーになる。
１１．地表の場合、電子のラブの軌道によって、１Ｋを作る電子のラブの回転数が異なる。
しかし、地球の中や太陽の中では、その場の温度を作る電子のラブの回転数は同じです。
これはどうしてか。
電子のラブの軌道＝１０−１０ｍ÷温度１／２
電子のラブ１公転でできる電気の光子のエネルギーは、
１０−３９Ｊｍ÷（１０−１０ｍ÷温度１／２）＝１０−２９Ｊ×温度１／２です。
それで、温度１／２のエネルギーを作るためには何公転でできるか。
温度１／２のエネルギーは、温度の単位は℃ですから、１℃＝３．７８１２×１０−２１Ｊです。
温度１／２×３．７８１２×１０−２１Ｊ÷（１０−２９Ｊ×温度１／２）＝３．７８１２×１０８公転でできる。
よって、地球や太陽のどの深さにおいても、電子のラブの公転によってできる熱エネルギーは、電子のラブが３．７８１２×１０８回公転してできる電気の光子のエネルギーです。
１２．地球の中や太陽の中では、１原子で引力と成る磁気の光子のエネルギーは、電子のラブが何回自転してできるか。
電子のラブの軌道＝１０−１０ｍ÷温度１／２
電子のラブの自転軌道＝１０−１０ｍ÷温度１／２×１０−８＝１０−１８ｍ÷温度１／２
電子のラブ１自転でできる磁気の光子のエネルギーは、
１０−５５Ｊｍ÷（１０−１８ｍ÷温度１／２）＝１０−３７Ｊ×温度１／２です。
それで、引力のエネルギーを作るためには何公転でできるか。
その場の磁気の光子のエネルギーは、その場の電気の光子のエネルギーに比例する。
その場の引力は、その場の温度に比例する。
その場の１原子でできる引力は、その場の温度１／２に比例するから、
その場の１原子でできる引力のエネルギーは、温度１／２×１．３５６４×１０−３２Ｊです。
この引力のエネルギーは、電子のラブが何回自転してできるエネルギーか。
温度１／２×１．３５６４×１０−３２Ｊ÷（１０−３７Ｊ×温度１／２）＝１．３５６４×１０５回自転してできる。
よって、地球や太陽のどの深さにおいても、１原子でできる引力は、電子のラブが１．３５６４×１０５回自転してできる磁気の光子のエネルギーです。
１３．電子のラブが公転してできる熱エネルギーは、電子のラブが自転してできる１原子で引力と成る磁気の光子のエネルギーの何倍か。
地球や太陽のどの深さにおいても、電子のラブの公転によってできる熱エネルギーは、電子のラブが３．７８１２×１０８回公転してできる電気の光子のエネルギーです。
地球や太陽のどの深さにおいても、１原子でできる引力は、電子のラブが１．３５６４×１０５回自転してできる磁気の光子のエネルギーです。
電子のラブが１公転してできるエネルギーは、電子のラブが１自転してできるエネルギーの１０８倍ですから、
３．７８１２×１０８回公転してできる電気の光子のエネルギー＝３．７８１２×１０８回×１０８×１自転してできる磁気の光子のエネルギー
それで、電子のラブの公転によってできる熱エネルギーは１原子でできる引力のエネルギーの、
電子のラブの公転によってできる熱エネルギー÷１原子でできる引力のエネルギー＝３．７８１２×１０８回公転してできる電気の光子のエネルギー÷電子のラブが１．３５６４×１０５回自転してできる磁気の光子のエネルギー＝３．７８１２×１０８回×１０８×１自転してできる磁気の光子のエネルギー÷（電子のラブが１．３５６４×１０５回自転してできる磁気の光子のエネルギー）＝３．７８１２×１０８回×１０８÷（１．３５６４×１０５回）＝２．７８８×１０１１倍です。
１４．電子のラブの１秒間の公転数の式について。
電子のラブが１秒間に作る電気の光子のエネルギーは、８×１０−１４Ｊです。
電子のラブの１秒間の公転数は、１秒間に作る電気の光子のエネルギー÷１公転でできる電気の光子のエネルギー＝８×１０−１４Ｊ÷（１０−３９Ｊｍ÷電子のラブの軌道）＝８×１０２５×電子のラブの軌道、です。
１５．電子のラブの秒速の式について。
電子のラブの秒速は、３．１４×電子のラブの軌道×１秒間の公転数＝３．１４×電子のラブの軌道×８×１０−１４Ｊ÷（１０−３９Ｊｍ÷電子のラブの軌道）＝２．５１２×１０２６ｍ×電子のラブの軌道２、です。
１６．電子のラブが公転して熱となる電気の光子のエネルギーの式について。温度の式について。
電子のラブが公転して熱となる電気の光子のエネルギーは、電子のラブが１公転してできる電気の光子のエネルギー×３．７８１２×１０８回転＝１０−３９Ｊｍ÷電子のラブの軌道×３．７８１２×１０８回転、です。
温度（℃）＝｛電子のラブが公転して熱となる電気の光子のエネルギー÷（３．７８１２×１０−２１Ｊ）｝２＝｛１０−３９Ｊｍ÷電子のラブの軌道×３．７８１２×１０８回転÷（３．７８１２×１０−２１Ｊ）｝２＝（１０−１０ｍ÷電子のラブの軌道）２、です。
温度（℃）＝｛電子のラブが公転して熱となる電気の光子のエネルギー（℃）｝２
電子のラブが公転して熱となる電気の光子のエネルギー（℃）＝１０−１０ｍ÷電子のラブの軌道
電子のラブが公転して熱となる電気の光子のエネルギー（Ｊ）＝１０−１０ｍ÷電子のラブの軌道×３．７８１２×１０−２１Ｊ
１７．地上で、１原子で引力と成る磁気の光子のエネルギーの式について。１原子でできる引力は、電子のラブが何回自転してできる磁気の光子か。１原子で引力と成る磁気の光子のエネルギーは、電子のラブが１秒間自転してできる磁気の光子のエネルギーの何分の１か。
○地上の場合、１原子でできる引力は、１．３５６４×１０−３２Ｊの磁気の光子です。
・この引力は、電子のラブが何回自転してできる磁気の光子か。
電子のラブが１回自転してできる磁気の光子のエネルギーは、１０−５５Ｊｍ÷電子のラブの自転軌道、です。
１原子でできる引力は、電子のラブが、
１．３５６４×１０−３２Ｊ÷（１０−５５Ｊｍ÷電子のラブの自転軌道）＝１．３５６４×１０２３×電子のラブの自転軌道、回自転してできる磁気の光子です。
○例えば、地上では、電子のラブの自転軌道は、１０−１０−８ｍ＝１０−１８ｍですから、
１．３５６４×１０２３×電子のラブの自転軌道＝１．３５６４×１０２３×１０−１８＝１．３５６４×１０５回自転してできる磁気の光子です。
・１原子で引力と成る磁気の光子のエネルギーは、電子のラブが１秒間自転してできる磁気の光子のエネルギーの何分の１か。
電子のラブが１秒間自転してできる磁気の光子のエネルギーは８×１０−１４Ｊですから、
１．３５６４×１０−３２Ｊ÷（８×１０−１４Ｊ）＝１．６９５５×１０−１９倍。
１÷（１．６９５５×１０−１９）＝５．８９８×１０１８分の１です。
又は次のようにも考えられる。
電子のラブの１秒間の公転数は、８×１０２５×電子のラブの軌道、です。
電子のラブの軌道＝電子のラブ自転軌道×１０８です。
電子のラブの１秒間の自転数は、電子のラブの１秒間の公転数の１０８倍です。
それで、電子のラブの１秒間の自転数＝電子のラブの１秒間の公転数×１０８＝８×１０２５×電子のラブの軌道×１０８倍＝８×１０２５×電子のラブ自転軌道×１０８×１０８＝８×１０４１×電子のラブの自転軌道
１原子でできる引力は、１．３５６４×１０２３×電子のラブの自転軌道、回自転してできる磁気の光子です。
それで、引力と成る磁気の光子のエネルギーは、電子のラブが１秒間自転してできる磁気の光子のエネルギーの、
引力と成る自転数÷１秒間の自転数＝１．３５６４×１０２３×電子のラブの自転軌道÷（８×１０４１×電子のラブの自転軌道）＝１．６９５５×１０−１９倍です。
１÷（１．６９５５×１０−１９）＝５．８９８×１０１８分の１です。
１８．１℃の場合。この場の電子のラブの軌道と、電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
・この場の電子のラブの軌道は、１０−１０ｍです。
・電子のラブが１公転でできる電気の光子のエネルギーは、
１０−３９Ｊｍ÷１０−１０ｍ＝１０−２９Ｊです。
・この場の電子のラブの公転によってできる熱エネルギーは、１０−２９Ｊ×３．７８１２×１０８回転＝３．７８１２×１０−２１Ｊです。
これは、１℃です。
・この場の温度は、１℃です。
・この場の１原子で引力になる磁気の光子のエネルギーは、
電子のラブが１自転でできる磁気の光子のエネルギーは、
１０−５５Ｊｍ÷１０−１０−８ｍ＝１０−３７Ｊです。
引力と成る、電子のラブの自転数は、
１．３５６４×１０２３×電子のラブの自転軌道＝１．３５６４×１０２３×１０−１８＝１．３５６４×１０５回です。
１原子で引力と成る磁気の光子のエネルギーは、
１０−３７Ｊ×１．３５６４×１０５回＝１．３５６４×１０−３２Ｊです。
・この場の電子のラブの１秒間の公転数は、
８×１０−１４Ｊ÷（１０−３９Ｊｍ÷１０−１０ｍ）＝８×１０１５回です。
・この場の電子のラブの秒速は、
３．１４×１０−１０ｍ×８×１０１５回＝２．５１２×１０６ｍです。
１９．地球の中央の場合。深さ６５００Ｋｍで、温度は７３２７℃で、電子のラブの軌道は１．１６８×１０−１２ｍです。この場の電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
・この場の電子のラブが１公転でできる電気の光子のエネルギーは、
１０−３９Ｊｍ÷（１．１６８×１０−１２ｍ）＝８．５６２×１０−２８Ｊです。
・この場の電子のラブの公転によってできる熱エネルギーは、
８．５６２×１０−２８Ｊ×３．７８１２×１０８回転＝３．２３７×１０−１９Ｊです。
・温度は、
温度１／２（℃）＝３．２３７×１０−１９Ｊ÷（３．７８１２×１０−２１Ｊ）＝８．５６２×１０
温度＝（８．５６２×１０）２＝７３３１（℃）です。
・この場の１原子で引力になる磁気の光子のエネルギーは、
電子のラブが１自転でできる磁気の光子のエネルギーは、
１０−５５Ｊｍ÷（１．１６８×１０−１２−８ｍ）＝８．５６２×１０−３６Ｊです。
１原子で引力と成る磁気の光子のエネルギーは、
８．５６２×１０−３６Ｊ×１．３５６４×１０５回＝１．１６１３×１０−３０Ｊです。
・この場の電子のラブの１秒間の公転数は、
８×１０−１４Ｊ÷｛１０−３９Ｊｍ÷（１．１６８×１０−１２ｍ）｝＝９．３４４×１０１３回です。
・この場の電子のラブの秒速は、
３．１４×１．１６８×１０−１２ｍ×９．３４４×１０１３回＝３．４２７×１０２ｍです。
２０．太陽の中央の場合。深さは７×１０５Ｋｍで、温度は１５×１０６Ｋで、電子のラブの軌道は２．５８２×１０−１４ｍです。この場の電子のラブが１公転でできる電気の光子のエネルギーと、この場の電子のラブの公転によってできる熱エネルギーと温度と、この場の１原子で引力になる磁気の光子のエネルギーと、この場の電子のラブの１秒間の公転数と、この場の電子のラブの秒速はいくらか。
・この場の電子のラブが１公転でできる電気の光子のエネルギーは、
１０−３９Ｊｍ÷（２．５８２×１０−１４ｍ）＝３．８７３×１０−２６Ｊです。
・この場の電子のラブの公転によってできる熱エネルギーは、
３．８７３×１０−２６Ｊ×３．７８１２×１０８回転＝１．４６４×１０−１７Ｊです。
・温度は、
温度１／２（℃）＝１．４６４×１０−１７Ｊ÷（３．７８１２×１０−２１Ｊ）＝３．８７２×１０３
温度＝（３．８７２×１０３）２＝１５×１０３（℃）です。
・この場の１原子で引力になる磁気の光子のエネルギーは、
電子のラブが１自転でできる磁気の光子のエネルギーは、
１０−５５Ｊｍ÷（２．５８２×１０−１４−８ｍ）＝３．８７３×１０−３４Ｊです。
１原子で引力と成る磁気の光子のエネルギーは、
３．８７３×１０−３４Ｊ×１．３５６４×１０５回＝５．２５３×１０−２９Ｊです。
・この場の電子のラブの１秒間の公転数は、
８×１０−１４Ｊ÷｛１０−３９Ｊｍ÷（２．５８２×１０−１４ｍ）｝＝２．０６５６×１０１２回です。
・この場の電子のラブの秒速は、
３．１４×２．５８２×１０−１４ｍ×２．０６５６×１０１２回＝１．６７５×１０−１ｍです。
電子のラブの秒速は非常に遅いです。
この電子のラブの速度の遅さも、陽子のラブと結合し易くしている。
電子のラブの速度の遅さは、中性子ができる要因に成っている。
２１．中性子ができる場の場合。この場の陽子のラブの軌道と、陽子のラブの秒速と、陽子のラブの１秒間の回転数はいくらか。
・この場の陽子のラブの軌道はいくらか。
ニュートリノの測定値により、陽子のラブの軌道をＡｍとすると、電子のラブの軌道は６Ａｍであることが理解できた。
この場において、電子のラブの軌道は２．５８２×１０−１４ｍですから、
陽子のラブの軌道は、２．５８２×１０−１４ｍ÷６＝４．３０３×１０−１５ｍです。
陽子のラブの軌道と電子のラブの軌道は非常に近いので、引力が大きく引き合う。それで、電子のラブは質量の大きな陽子のラブに引かれて、陽子のラブの軌道に移行する。
・この場の陽子のラブの秒速はいくらか。
陽子のラブの秒速は、２．５１２×１０２６ｍ×電子のラブの軌道２ですから、
２．５１２×１０２６ｍ×陽子のラブの軌道２＝２．５１２×１０２６ｍ×（４．３０３×１０−１５ｍ）２＝４．６５１×１０−３ｍです。
陽子のラブの秒速は４．６５１×１０−３ｍです。
電子のラブの秒速は１．６７５×１０−１ｍです。
それで、どちらも非常にゆっくり走るので、結合し、中性子になる。
・この場の陽子のラブの回転数はいくらか。
陽子のラブの１秒間の公転数は、８×１０２５×電子のラブの軌道ですから、
８×１０２５×陽子のラブの軌道＝８×１０２５×４．３０３×１０−１５ｍ＝３．４４２４×１０１１回転です。
陽子のラブの１秒間の公転数は、３．４４２４×１０１１回転です。
電子のラブの１秒間の公転数は、２．０６５６×１０１２回です。
２．０６５６×１０１２回÷（３．４４２４×１０１１回転）＝６倍
陽子のラブと電子のラブの回転数もほぼ同じです。
それで、電子のラブと陽子のラブは結合し、中性子になる。
２２．絶対０度の場の場合。この場の電子のラブの軌道と、１公転でできる電気の光子のエネルギーと、この場の電子のラブの公転によってできる熱と温度と、この場の１原子で引力になる磁気の光子のエネルギーと、この場の電子のラブの１秒間の公転数と、この場の電子のラブの秒速はいくらか。
０Ｋ＝１℃÷２７５＝０．００３６３６３℃です。
・この場の電子のラブの軌道は、１０−１０ｍ÷（３６．３６３×１０−４）１／２＝１．６５８×１０−９ｍです。
・１公転でできる電気の光子のエネルギーは、１０−３９Ｊｍ÷（１．６５８×１０−９ｍ）＝６．０３１×１０−３１Ｊです。
・この場の電子のラブの公転によってできる熱エネルギーは、６．０３１×１０−３１Ｊ×３．７８１２×１０８回＝２．２８×１０−２２Ｊです。
この場の温度は、
温度１／２℃＝２．２８×１０−２２Ｊ÷（３．７８１２×１０−２１Ｊ）＝６．０３１×１０−２
温度＝（６．０３１×１０−２）２＝３．６３７３×１０−３（℃）
３．６３７３×１０−３℃です。
・この場の１原子で引力になる磁気の光子のエネルギーは、
電子のラブが１自転してできる磁気の光子のエネルギーは、
１０−５５Ｊｍ÷（１．６５８×１０−９−８ｍ）＝６．０３１×１０−３９Ｊです。
引力と成る磁気の光子は、電子のラブが、１．３５６４×１０５回自転してできる磁気の光子ですから、
６．０３１×１０−３９Ｊ×１．３５６４×１０５回＝８．１８×１０−３４Ｊです。
・この場の電子のラブの１秒間の公転数は、
８×１０−１４Ｊ÷｛１０−３９Ｊｍ÷（１．６５８×１０−９ｍ）｝＝１．３２６４×１０１７回です。
・この場の電子のラブの秒速は、
３．１４×１．６５８×１０−９ｍ×１．３２６４×１０１７回＝６．９×１０８ｍです。
２３．真空には何も存在せず、その温度は絶対０度＝０Ｋであることの証明。
絶対０度である０Ｋは、０．００３６３６３℃です。
・この場の電子のラブの軌道は、１．６５８×１０−９ｍです。
・この電子のラブの秒速は、６．９×１０８ｍであり、光速以上です。
それで、この軌道では、電子のラブは回転できず、まっすぐ走るようになる。
電子のラブが回転できなければ、そこに原子は存在しません。
従って、ものが無い状態＝真空の状態です。
２４．電子のラブの秒速が３×１０８ｍ以下となる、電子のラブの軌道はいくらか。
電子のラブの秒速は、２．５１２×１０２６ｍ×電子のラブの軌道２で、
電子のラブの秒速が３×１０８ｍ以下ですから、
２．５１２×１０２６ｍ×電子のラブの軌道２＜３×１０８ｍ
電子のラブの軌道２＜３×１０８ｍ÷（２．５１２×１０２６ｍ）
電子のラブの軌道２＜１．１９４３×１０−１８
電子のラブの軌道＜１．０９２８×１０−９（ｍ）
電子のラブの軌道が１．０９２８×１０−９ｍより大きいと電子のラブの秒速は光速３×１０８ｍより大きくなる。
よって、電子のラブの軌道が１．０９２８×１０−９ｍより大きい原子は存在しない。
２５．電子のラブの軌道が１．０９２８×１０−９ｍである場の温度はいくらか。
温度＝（１０−１０ｍ÷電子のラブの軌道）２＝｛１０−１０ｍ÷（１．０９２８×１０−９ｍ）｝２＝（９．１５１×１０−２）２＝０．００８３７４（℃）
このエネルギーは、０．００８３７４（℃）×３．７８１２×１０−２１Ｊ＝３．１６６４×１０−２３Ｊです。
これは何Ｋか。
３．１６６４×１０−２３Ｊ÷（１．３８×１０−２３Ｊ）＝２．２９Ｋです。
約３Ｋの場は真空です。
２６．２００６年７月３１日に提出した特許願について。
本発明者は、２００６年７月３１日に提出した特許願において、原子と原子の間隔を０ｍとし、電子のラブの軌道を３６．５７倍とし、エネルギーを３６．５７分の１としたので、１原子当たり、引力となる自転数は、４．９６×１０６回転である、と計算した。
今回は、地上の電子のラブの軌道を１０−１０ｍとし、地球の中の電子のラブの軌道を、前回の特許願の３６．５７分の１にした。
それで、電気の光子のエネルギーは３６．５７倍と成り、磁気の光子のエネルギーも３６．５７倍と成る。それで、回転数は３６．５７分の１になる。
電子のラブの公転によって熱となる電気の光子のエネルギーは、１．３８３×１０１０回転÷３６．５７＝３．７８１８×１０８公転となる。
１原子で、引力と成る自転数は３６．５７分の１になるので、４．９６×１０６回転÷３６．５７＝１．３５６３×１０５回転となる。
太陽の中の電子のラブの軌道は、温度から算出したのでそのままで、引力となる磁気の光子は、１原子につき、１．３５６４×１０５自転になる。
このことを２００６年７月３１日に提出した特許願について計算する。
△地球の引力は次のようです。
・０ｍから１０００Ｋｍまで、
電子のラブの軌道の平均値は、５×１０−１２ｍです。原子数は５．８６３×１０５０個です。
磁気の光子１個のエネルギーは、１０−５５Ｊｍ÷（５×１０−２０ｍ）＝２×１０−３６Ｊです。
引力になる磁気の光子の総エネルギーは、
２×１０−３６Ｊ×１．３５６３×１０５回×５．８６３×１０５０個＝１．５９１×１０２０Ｊです。
・１０００Ｋｍから２０００Ｋｍまで、
電子のラブの軌道の平均値は、２．６９５×１０−１２ｍです。原子数は９．０７９×１０５０個です。
磁気の光子１個のエネルギーは、１０−５５Ｊｍ÷（２．６９５×１０−２０ｍ）＝３．７１１×１０−３６Ｊです。
引力になる磁気の光子の総エネルギーは、
３．７１１×１０−３６Ｊ×１．３５６３×１０５回×９．０７９×１０５０個＝４．５７×１０２０Ｊです。
・２０００Ｋｍから３０００Ｋｍまで、
電子のラブの軌道の平均値は、２×１０−１２ｍです。原子数は９．０９３×１０５０個です。
磁気の光子１個のエネルギーは、１０−５５Ｊｍ÷（２×１０−２０ｍ）＝５×１０−３６Ｊです。
引力になる磁気の光子の総エネルギーは、
５×１０−３６Ｊ×１．３５６３×１０５回×９．０９３×１０５０個＝６．１６７×１０２０Ｊです。
・３０００Ｋｍから４０００Ｋｍまで、
電子のラブの軌道の平均値は、１．５８×１０−１２ｍです。原子数は６．８２×１０５０個です。
磁気の光子１個のエネルギーは、１０−５５Ｊｍ÷（６．８２×１０−２０ｍ）＝６．３３９×１０−３６Ｊです。
引力になる磁気の光子の総エネルギーは、
６．３３９×１０−３６Ｊ×１．３５６３×１０５回×６．８２×１０５０個＝５．８６４×１０２０Ｊです。
・４０００Ｋｍから５０００Ｋｍまで、
電子のラブの軌道の平均値は、１．４９×１０−１２ｍです。原子数は３．８４１×１０５０個です。
磁気の光子１個のエネルギーは、１０−５５Ｊｍ÷（１．４９×１０−２０ｍ）＝６．７１１×１０−３６Ｊです。
引力になる磁気の光子の総エネルギーは、
６．７１１×１０−３６Ｊ×１．３５６３×１０５回×３．８４１×１０５０個＝３．４９６×１０２０Ｊです。
・５０００Ｋｍから６０００Ｋｍまで、
電子のラブの軌道の平均値は、１．３５×１０−１２ｍです。原子数は１．２２７×１０５０個です。
磁気の光子１個のエネルギーは、１０−５５Ｊｍ÷（１．３５×１０−２０ｍ）＝７．４０７×１０−３６Ｊです。
引力になる磁気の光子の総エネルギーは、
７．４０７×１０−３６Ｊ×１．３５６３×１０５回×１．２２７×１０５０個＝１．２３３×１０２０Ｊです。
・６０００Ｋｍから６５００Ｋｍまで、
電子のラブの軌道の平均値は、１．２３４×１０−１２ｍです。原子数は５．６６×１０４８個です。
磁気の光子１個のエネルギーは、１０−５５Ｊｍ÷（１．２３４×１０−２０ｍ）＝８．１０４×１０−３６Ｊです。
引力になる磁気の光子の総エネルギーは、
８．１０４×１０−３６Ｊ×１．３５６３×１０５回×５．６６×１０４８個＝６．２２２×１０１８Ｊです。
○地球の深さにおける、磁気の光子のエネルギーと、原子の数と、引力になる磁気の光子の総エネルギーとその場の万有引力定数を示す。
2006345698.tif 000004
2006345698.tif 000005
△太陽の引力は次のようです。
○太陽から出発する引力の場合。
電子のラブが１．３５６４×１０５回自転してできる磁気の光子のエネルギーが引力のエネルギーに成ります。
このエネルギーは、１０−５５Ｊｍ÷１０ａ−８ｍ×１．３５６４×１０５回＝１．３５６４×１０−４２−ａＪです。
太陽全体でできる引力となる総エネルギーは、太陽の原子の数×１電子のラブでできる引力となる磁気の光子のエネルギー＝１．２×１０５７個×１．３５６４×１０−４２−ａＪ＝１．６２８×１０１５−ａＪです。
○例えば、太陽から出発する電気の光子の軌道を１０−１０ｍとすると、
太陽から出発する引力になる総エネルギーは、１．６２８×１０１５−ａＪ＝１．６２８×１０１５＋１０Ｊ＝１．６２８×１０２５Ｊです。
引力はこの２乗です。
（１．６２８×１０２５Ｊ）２＝２．６５×１０５０Ｊです。
この万有引力定数はいくらか。
１Ｋｇで引力となる磁気の光子のエネルギーは、
１原子のラブで引力になる磁気の光子のエネルギー×６．０２１９×１０２６個＝１．３５６４×１０−４２−ａＪ×６．０２１９×１０２６個＝８．１６８×１０−１６−ａＪ      ８．１６８×１０−１６−ａです。
それで、万有引力定数は、１Ｋｇで引力となる磁気の光子のエネルギーの２乗ですから、
（８．１６８×１０−１６−ａ）２＝６．６７２×１０−３１−２ａです。
○太陽の深さにおいて、引力はどのようであるか。その場の万有引力定数はどのようであるか。その場の万有引力定数は地球表面の万有引力定数の何倍か。
・７×１０５Ｋｍと６×１０５Ｋｍの場合。
電子のラブの軌道は２．５８２×１０−１４ｍですから、磁気の光子のエネルギーは、
１０−５５Ｊｍ÷（２．５８２×１０−１４−８ｍ）＝３．８７３×１０−３４Ｊです。
電子のラブが１．３５６４×１０５回自転してできる磁気の光子のエネルギーが太陽の引力になるとします。
１原子で、引力に成る磁気の光子のエネルギーは、３．８７３×１０−３４Ｊ×１．３５６４×１０５回＝５．２５３×１０−２９Ｊです。
万有引力定数＝（この場の１Ｋｇでできる引力と成る磁気の光子のエネルギー）２ですから、この場の万有引力定数は、
（３．８７３×１０−３４Ｊ×１．３５６４×１０５回×６．０２１９×１０２６個）２＝１０−３Ｊ      １０−３です。
これは、地球の万有引力定数の何倍か。
１０−３÷（６．６７２×１０−１１）＝１．４９９×１０７倍です。
この倍数は、地表の電子のラブの軌道÷太陽の深さにおける電子のラブの軌道、の２乗です。
｛１０−１０ｍ÷（２．５８２×１０−１４ｍ）｝２＝（３．８７３×１０３）２＝１．５×１０７
・５×１０５Ｋｍの場合。
電子のラブの軌道は２．９１７×１０−１４ｍですから、磁気の光子のエネルギーは、
１０−５５Ｊｍ÷（２．９１７×１０−１４−８ｍ）＝３．４２８×１０−３４Ｊです。
１原子で、引力に成る磁気の光子のエネルギーは、３．４２８×１０−３４Ｊ×１．３５６４×１０５回＝４．６５×１０−２９Ｊです。
この場の万有引力定数は、
（３．４２８×１０−３４Ｊ×１．３５６４×１０５回×６．０２１９×１０２６個）２＝７．８４×１０−４Ｊ      ７．８４×１０−４です。
これは、地球の万有引力定数の何倍か。
７．８４×１０−４÷（６．６７２×１０−１１）＝１．１７５×１０７倍です。
この倍数は、地表の電子のラブの軌道÷太陽の深さにおける電子のラブの軌道、の２乗です。
｛１０−１０ｍ÷（２．９１７×１０−１４ｍ）｝２＝（３．４２８×１０３）２＝１．１７５×１０７
・４×１０５Ｋｍの場合。
電子のラブの軌道は３．４３×１０−１４ｍですから、磁気の光子のエネルギーは、
１０−５５Ｊｍ÷（３．４３×１０−１４−８ｍ）＝２．９１５×１０−３４Ｊです。
１原子で、引力に成る磁気の光子のエネルギーは、２．９１５×１０−３４Ｊ×１．３５６４×１０５回＝３．９５４×１０−２９Ｊです。
この場の万有引力定数は、
（２．９１５×１０−３４Ｊ×１．３５６４×１０５回×６．０２１９×１０２６個）２＝５．６６９×１０−４Ｊ  ５．６６９×１０−４です。
これは、地球の万有引力定数の何倍か。
５．６６９×１０−４÷（６．６７２×１０−１１）＝８．４９７×１０６倍です。
この倍数は、地表の電子のラブの軌道÷太陽の深さにおける電子のラブの軌道、の２乗です。
｛１０−１０ｍ÷（３．４３×１０−１４ｍ）｝２＝（２．９１５×１０３）２＝８．４９７×１０６
・３×１０５Ｋｍの場合。
電子のラブの軌道は４．３６７×１０−１４ｍですから、磁気の光子のエネルギーは、
１０−５５Ｊｍ÷（４．３６７×１０−１４−８ｍ）＝２．２９×１０−３４Ｊです。
１原子で、引力に成る磁気の光子のエネルギーは、２．２９×１０−３４Ｊ×１．３５６４×１０５回＝３．１０６×１０−２９Ｊです。
この場の万有引力定数は、
（２．２９×１０−３４Ｊ×１．３５６４×１０５回×６．０２１９×１０２６個）２＝３．５×１０−４Ｊ      ３．５×１０−４です。
これは、地球の万有引力定数の何倍か。
３．５×１０−４÷（６．６７２×１０−１１）＝５．２４６×１０６倍です。
この倍数は、地表の電子のラブの軌道÷太陽の深さにおける電子のラブの軌道、の２乗です。
｛１０−１０ｍ÷（４．３６７×１０−１４ｍ）｝２＝（２．２９×１０３）２＝５．２４４×１０６
・２×１０５Ｋｍの場合。
電子のラブの軌道は７．０７×１０−１４ｍですから、磁気の光子のエネルギーは、
１０−５５Ｊｍ÷（７．０７×１０−１４−８ｍ）＝１．４１４×１０−３４Ｊです。
１原子で、引力に成る磁気の光子のエネルギーは、１．４１４×１０−３４Ｊ×１．３５６４×１０５回＝１．９１８×１０−２９Ｊです。
この場の万有引力定数は、
（１．４１４×１０−３４×１．３５６４×１０５回×６．０２１９×１０２６個）２＝１．３３４×１０−４Ｊ  １．３３４×１０−４です。
これは、地球の万有引力定数の何倍か。
１．３３４×１０−４÷（６．６７２×１０−１１）＝２×１０６倍です。
この倍数は、地表の電子のラブの軌道÷太陽の深さにおける電子のラブの軌道、の２乗です。
｛１０−１０ｍ÷（７．０７×１０−１４ｍ）｝２＝（１．４１４×１０３）２＝２×１０６
・１０５Ｋｍの場合。
電子のラブの軌道は１０−１３ｍですから、磁気の光子のエネルギーは、
１０−５５Ｊｍ÷１０−１３−８ｍ＝１０−３４Ｊです。
１原子で、引力に成る磁気の光子のエネルギーは、１０−３４Ｊ×１．３５６４×１０５回＝１．３５６４×１０−２９Ｊです。
この場の万有引力定数は、
（１０−３４Ｊ×１．３５６４×１０５回×６．０２１９×１０２６個）２＝６．６７２×１０−５Ｊ      ６．６７２×１０−５です。
これは、地球の万有引力定数の何倍か。
６．６７２×１０−５÷（６．６７２×１０−１１）＝１０６倍です。
この倍数は、地表の電子のラブの軌道÷太陽の深さにおける電子のラブの軌道、の２乗です。
（１０−１０ｍ÷１０−１３ｍ）２＝（１０３）２＝１０６
・１０４Ｋｍの場合。
電子のラブの軌道は３．１６２×１０−１３ｍですから、磁気の光子のエネルギーは、
１０−５５Ｊｍ÷（３．１６２×１０−１３−８ｍ）＝３．１６２×１０−３５Ｊです。
１原子で、引力に成る磁気の光子のエネルギーは、３．１６２×１０−３５Ｊ×１．３５６４×１０５回＝４．２８９×１０−３０Ｊです。
この場の万有引力定数は、
（３．１６２×１０−３５Ｊ×１．３５６４×１０５回×６．０２１９×１０２６個）２＝６．６７１×１０−６Ｊ  ６．６７１×１０−６です。
これは、地球の万有引力定数の何倍か。
６．６７１×１０−６÷（６．６７２×１０−１１）＝１０５倍です。
この倍数は、地表の電子のラブの軌道÷太陽の深さにおける電子のラブの軌道、の２乗です。
｛１０−１０ｍ÷（３．１６２×１０−１３ｍ）｝２＝（３．１６３×１０２）２＝１０５
・１０３Ｋｍの場合。
電子のラブの軌道は１０−１２ｍですから、磁気の光子のエネルギーは、
１０−５５Ｊｍ÷１０−１２−８ｍ＝１０−３５Ｊです。
１原子で、引力に成る磁気の光子のエネルギーは、１０−３５Ｊ×１．３５６４×１０５回＝１．３５６４×１０−３０Ｊです。
この場の万有引力定数は、
（１０−３５Ｊ×１．３５６４×１０５回×６．０２１９×１０２６個）２＝６．６７２×１０−７Ｊ      ６．６７２×１０−７です。
これは、地球の万有引力定数の何倍か。
６．６７２×１０−７÷（６．６７２×１０−１１）＝１０４倍です。
この倍数は、地表の電子のラブの軌道÷太陽の深さにおける電子のラブの軌道、の２乗です。
（１０−１０ｍ÷１０−１２ｍ）２＝（１０４）２＝１０４
・４×１０２Ｋｍの場合。
電子のラブの軌道は１．２５×１０−１２ｍですから、磁気の光子のエネルギーは、
１０−５５Ｊｍ÷（１．２５×１０−１２−８ｍ）＝８×１０−３６Ｊです。
１原子で、引力に成る磁気の光子のエネルギーは、８×１０−３６Ｊ×１．３５６４×１０５回＝１．０８５×１０−３０Ｊです。
この場の万有引力定数は、
（８×１０−３６Ｊ×１．３５６４×１０５回×６．０２１９×１０２６個）２＝４．２７×１０−７Ｊ      ４．２７×１０−７です。
これは、地球の万有引力定数の何倍か。
４．２７×１０−７÷（６．６７２×１０−１１）＝６．４×１０３倍です。
この倍数は、地表の電子のラブの軌道÷太陽の深さにおける電子のラブの軌道、の２乗です。
｛１０−１０ｍ÷（１．２５×１０−１２ｍ）｝２＝（８×１０）２＝６．４×１０３
・１Ｋｍの場合。
電子のラブの軌道は１．５２５×１０−１２ｍですから、磁気の光子のエネルギーは、
１０−５５Ｊｍ÷（１．５２５×１０−１２−８ｍ）＝６．５５７×１０−３６Ｊです。
１原子で、引力に成る磁気の光子のエネルギーは、６．５５７×１０−３６Ｊ×１．３５６４×１０５回＝８．８９４×１０−３１Ｊです。
この場の万有引力定数は、
（６．５５７×１０−３６Ｊ×１．３５６４×１０５回×６．０２１９×１０２６個）２＝２．８６８×１０−７Ｊ      ２．８６８×１０−７です。
これは、地球の万有引力定数の何倍か。
２．８６８×１０−７÷（６．６７２×１０−１１）＝４．３×１０３倍です。
この倍数は、地表の電子のラブの軌道÷太陽の深さにおける電子のラブの軌道、の２乗です。
｛１０−１０ｍ÷（１．５２５×１０−１２ｍ）｝２＝（６．５５７×１０）２＝４．３×１０３
○太陽の深さにおける、電子のラブの軌道と、磁気の光子のエネルギーと、１電子のラブでできる引力になる磁気の光子のエネルギーと、その場の万有引力定数と、その場の万有引力定数は地球の万有引力定数の何倍かを示す。
2006345698.tif 000006
○太陽の万有引力定数はいくらか。
▲１▼太陽の深さ１Ｋｍの場で、１原子で（１電子で）できる引力と成る磁気の光子のエネルギーは、８．８９４×１０−３１Ｊです。
地球で、１電子でできる引力と成る磁気の光子のエネルギーは、１．３５６×１０−３２Ｊです。
太陽の引力と成る磁気の光子のエネルギーは、地球の引力と成る磁気の光子のエネルギーの、
８．８９４×１０−３１Ｊ÷（１．３５６×１０−３２Ｊ）＝６．５５９×１０倍です。
引力はこの２乗ですから、
（６．５５９×１０倍）２＝４．３×１０３倍です。
それで、太陽の引力定数は、
６．６７２×１０−１１×４．３×１０３＝２．８６９×１０−７
太陽の引力定数は２．８６９×１０−７Ｎｍ２／Ｋｇ２です。
又次のようにも考えられる。
▲２▼太陽の万有引力は、太陽の深さ１Ｋｍの場の電子のラブの軌道は、１．５２５×１０−１２ｍですから、
（１電子のラブでできる引力と成るエネルギー×６．０２１９×１０２６個）２＝｛１０−５５Ｊｍ÷（１．５２５×１０−１２−８ｍ）×１．３５６４×１０５×６．０２１９×１０２６個｝２＝（５．３５６×１０−４）２＝２．８６９×１０−７です。
○太陽の重力はいくらか。
太陽の質量＝１．９８９×１０３０Ｋｇ      太陽の半径＝６．９５５×１０８ｍ
太陽の重力＝１×太陽の万有引力×太陽の質量÷太陽の半径２＝２．８６９×１０−７×１．９８９×１０３０Ｋｇ÷（６．９５５×１０８ｍ）２＝１．１８×１０６です。
太陽の重力は１．１８×１０６です。
【発明の効果】
【０００６】次の事が理解できた。
１．ニュートリノの理論値と実際値から、中性子ができる場の電子のラブの軌道は、陽子のラブの軌道の６倍である。
１．地上で、電子のラブが１０ａｍの場合、
１Ｋは、電子のラブが、１．３８×１０１６＋ａ回公転してできる電気の光子のエネルギーです。
１℃は、電子のラブが、３．７８１２×１０１８＋ａ回公転してできる電気の光子のエネルギーです。
１原子で引力となる磁気の光子のエネルギーは、電子のラブが、１．３５６４×１０１５＋ａ回自転してできる磁気の光子のエネルギーです。
１．地表の原子の大きさを１０−１０ｍとすると、原子と原子の間は、３．５７５×１０−９ｍあいている。１０−１０ｍの原子が３５個分あいている。
１．地球の深さにおいて、３．７７×１０８回公転してできる電気の光子のエネルギーが熱エネルギーになる。
１．地球の中や太陽の中で、どの深さにおいても、電子のラブが３．７８１２×１０８回公転してできる電気の光子のエネルギーが熱エネルギーに成る事を計算によって解った。
１．地球の中や太陽の中で、どの深さにおいても、電子のラブが１．３５６４×１０５回自転してできる磁気の光子のエネルギーが、１原子でできる引力になる事を計算によって解った。
１．電子のラブの１秒間の公転数の式は、８×１０２５×電子のラブの軌道、です。
１．電子のラブの秒速の式は、２．５１２×１０２６ｍ×電子のラブの軌道２、です。
１．温度（℃）＝｛電子のラブが公転して熱となる電気の光子のエネルギー÷（３．７８１２×１０−２１Ｊ）｝２＝｛１０−３９Ｊｍ÷電子のラブの軌道×３．７８１２×１０８回転÷（３．７８１２×１０−２１Ｊ）｝２＝（１０−１０ｍ÷電子のラブの軌道）２、
温度（℃）＝（電子のラブが公転して熱となる電気の光子のエネルギー（℃））２
電子のラブが公転して熱となる電気の光子のエネルギー（℃）＝１０−１０ｍ÷電子のラブの軌道
電子のラブが公転して熱となる電気の光子のエネルギー（Ｊ）＝１０−１０ｍ÷電子のラブの軌道×３．７８１２×１０−２１Ｊ
１．地上では、１原子でできる引力は、電子のラブが、
１．３５６４×１０−３２Ｊ÷（１０−５５Ｊｍ÷電子のラブの自転軌道）＝１．３５６４×１０２３×電子のラブの自転軌道、回自転してできる磁気の光子です。
１．地上では、１原子で引力と成る磁気の光子のエネルギーは、電子のラブが１秒間自転してできる磁気の光子のエネルギーの５．８９８×１０１８分の１です。
１．中性子ができる場の場合。
陽子のラブの軌道は、４．３０３×１０−１５ｍです。
電子のラブの軌道は、２．５８２×１０−１４ｍです。
陽子のラブの秒速は４．６５１×１０−３ｍです。
電子のラブの秒速は１．６７５×１０−１ｍです。
陽子のラブの１秒間の公転数は、３．４４２４×１０１１回転です。
電子のラブの１秒間の公転数は、２．０６５６×１０１２回です。
この事により、電子のラブは陽子のラブに引き付けられ、結合する事が良く解る。
１．絶対０度の場合、電子のラブの軌道は、１．６５８×１０−９ｍです。
この場の電子のラブの秒速は、６．９×１０８ｍで、光速以上です。
この事によって、絶対０度には、原子は存在しない事が解る。
１．電子のラブの秒速が光速以下の場は、３Ｋ以上の場です。原子の存在が可能な場は３Ｋ以上です。
【図面の簡単な説明】
【０００７】
【図１】１．中性子ができる場の場合。陽子のラブの軌道は、４．３０３×１０−１５ｍです。電子のラブの軌道は、２．５８２×１０−１４ｍです。陽子のラブの秒速は４．６５１×１０−３ｍです。電子のラブの秒速は１．６７５×１０−１ｍです。陽子のラブの１秒間の公転数は、３．４４２４×１０１１回転です。電子のラブの１秒間の公転数は、２．０６５６×１０１２回です。この事により、電子のラブは陽子のラブに引き付けられ、結合する事が良く解る。
【図２】絶対０度の場合、電子のラブの軌道は、１．６５８×１０−９ｍです。この場の電子のラブの秒速は、６．９×１０８ｍです。電子のラブは、光速でまっすぐ走る。それで、絶対０度には原子は存在しない。２．２９Ｋで、電子のラブの軌道は１．０９２８×１０−９ｍで、秒速は３×１０８ｍです。それで、約３Ｋには原子は存在しない。電子のラブの公転によってできる温度が３Ｋである場は存在しない。
【図３】地表の電子のラブの軌道を１０−１０ｍとすると、原子と原子の間は３．５７５×１０−９ｍです。
【図４】地球の中や太陽の中で、どの深さにおいても、電子のラブが３．７８１２×１０８回公転してできる電気の光子のエネルギーが熱エネルギーに成る。地球の中や太陽の中で、どの深さにおいても、電子のラブが１．３５６４×１０５回自転してできる磁気の光子のエネルギーが１原子でできる引力に成る。
【符号の説明】
１  電子のラブ
２  陽子のラブ
３  電子のラブが移行した後の電気の光子の軌道＝ニュートリノ
４  磁気の光子の軌道
５  絶対０度の場の電子のラブの軌道
６  電子のラブの秒速が光速になる電子のラブの軌道
７  電子のラブが１０−１０ｍの場合、電子のラブと電子のラブの距離
８  地球
９  太陽
【図１】
2006345698.tif 000008
【図２】
2006345698.tif 000009
【図３】
2006345698.tif 000010
【図４】
2006345698.tif 000011